(57)【要約】【課題】  ウィングを閉鎖方向に押すだけでデッドボルトのロックをワンタッチで解除できるようにして、ボックス本体に解除孔を設けなくてもロック解除を簡単に行えるようにする。【解決手段】  ボックス本体３内又は同本体３に枢着されたウィング５の内面側のいずれか一方に取り付けられるロック装置本体１と、ボックス本体３内又はウィング５の内面側の他方に取り付けられるブラケット４０とを備え、常時はブラケット４０と係合しないアンロック位置Ａに保持されており、かつ、ボックス本体３に揺れが生じたときにウィング５の開放を阻止すべくブラケット４０に係合するロック位置Ｂに突出するデッドボルト１６がロック装置本体１に設けられているウィング付き収納ボックスのオートロック装置であって、デッドボルト１６がブラケット４０に係合している状態からさらにウィング５を閉鎖方向へ移動させることによりデッドボルト１６をアンロック位置Ａに押し戻すロック解除機構６３が設けられている。【選択図】      図１
2004257242.tif 000002
【特許請求の範囲】
【請求項１】
ボックス本体（３）内又は同本体（３）に枢着されたウィング（５）の内面側のいずれか一方に取り付けられるロック装置本体（１）と、前記ボックス本体（３）内又は前記ウィング（５）の内面側の他方に取り付けられるブラケット（４０）とを備え、常時は前記ブラケット（４０）と係合しないアンロック位置（Ａ）に保持されており、かつ、前記ボックス本体（３）に揺れが生じたときに前記ウィング（５）の開放を阻止すべく前記ブラケット（４０）に係合するロック位置（Ｂ）に突出するデッドボルト（１６）が前記ロック装置本体（１）に設けられているウィング付き収納ボックスのオートロック装置であって、前記デッドボルト（１６）が前記ブラケット（４０）に係合している状態からさらに前記ウィング（５）を閉鎖方向へ移動させることにより前記デッドボルト（１６）をアンロック位置（Ａ）に押し戻すロック解除機構（６３）が設けられていることを特徴とするウィング付き収納ボックスのオートロック装置。
【請求項２】
ロック解除機構（６３）は、ウィング（５）の閉鎖方向への移動をデッドボルト（１６）のアンロック位置（Ａ）側への移動に変換するカム機構（６３Ａ）よりなる請求項１に記載のウィング付き収納ボックスのオートロック装置。
【請求項３】
カム機構（６３Ａ）は、ウィング（５）の閉鎖方向に移動するブラケット（４０）の同方向中途部がデッドボルト（１６）の突出端部に直接当接することにより同デッドボルト（１６）を没入側へ押し戻す形状に形成されたカム部（６１）（６２）を備えている請求項２に記載のウィング付き収納ボックスのオートロック装置。
【請求項４】
カム機構（６３Ａ）は、ブラケット（４０）におけるウィング（５）開閉方向中途部に形成されかつデッドボルト（１６）側に近づくに従い同ボルト（１６）の突出側に傾斜する第一カム部（６１）を備えている請求項３に記載のウィング付き収納ボックスのオートロック装置。
【請求項５】
カム機構（６３Ａ）は、デッドボルト（１６）の突出端部に形成されかつブラケット（４０）側に向かうに従い当該デッドボルト（１６）の没入側に傾斜する第二カム部（６２）を備えている請求項３又は４に記載のウィング付き収納ボックスのオートロック装置。
【請求項６】
第一カム部（６１）は、ブラケット（４０）に取り付けられかつデッドボルト（１６）の出退方向に弾性変形するバネ部材（７１）よりなる請求項４又は５に記載のウィング付き収納ボックスのオートロック装置。
【請求項７】
ブラケット（４０）の先端部に、ロック位置（Ｂ）に突出したデッドボルト（１６）の突出端部に掛止される掛止部（４３Ａ）が設けられ、この掛止部（４３Ａ）と第一カム部（６１）との間に、デッドボルト（１６）の突出を許容する逃げ部（４４）が形成されている請求項４〜６のいずれかに記載のウィング付き収納ボックスのオートロック装置。
【請求項８】
ブラケット（４０）の先端部に、ロック位置（Ｂ）に突出したデッドボルト（１６）を没入側へ押し戻すための第三カム部（６４）が設けられている請求項７に記載のウィング付き収納ボックスのオートロック装置。
【請求項９】
デッドボルト（４０）の突出端部に、ブラケット（４０）の掛止部（４３Ａ）に対する引っ掛かりを確実にするための窪み部（７６）が設けられている請求項１〜８のいずれかに記載のウィング付き収納ボックスのオートロック装置。
【請求項１０】
ロック装置本体（１）におけるデッドボルト（１６）が出退する側の外面にウィング（５）の開閉方向に延びるガイドリブ（７８）が設けられ、このガイドリブ（７８）はアンロック位置（Ａ）にあるデッドボルト（１６）の上端縁と同量又はより大きく突出されている請求項１〜９のいずれかに記載のウィング付き収納ボックスのオートロック装置。
【請求項１１】
ロック装置本体（１）は、更に、ウィング（５）の開閉方向に移動自在でかつ先端部がデッドボルト（１６）を掛止するよう同ボルト（１６）側に付勢されている保持部材（１８，８３）と、ボックス本体（３）の揺れによりウィング（５）の開閉方向に転動して前記保持部材（１８，８３）に衝突し同保持部材（１８，８３）の先端部を前記デッドボルト（１６）から解除させる転動部材（１９Ａ，１９Ｂ）と、を内部に備えている請求項１〜１０のいずれかに記載のウィング付き収納ボックスのオートロック装置。
【請求項１２】
保持部材（８３）は、中央部に転動部材（１９Ａ，１９Ｂ）を収納するための逃げ凹部（８４）を有する部材よりなり、この逃げ凹部（８４）の底部に、反デッドボルト（１６）側に向かうに従い当該逃げ凹部（８４）がより深くなる方向へ傾斜した傾斜縁（８５）が形成されている請求項１１に記載のウィング付き収納ボックスのオートロック装置。
【発明の詳細な説明】
【技術分野】
【０００１】
本発明は、ウィング付き収納ボックスのオートロック装置に関する。
【背景技術】
【０００２】
例えば、食器棚、本棚、タンス、化粧ケース等の家具に代表されるウィング付きの収納ボックスでは、前面が開放されたボックス本体の開口部に扉（ウィング）が観音開き状に枢着されている。
上記家具に代表されるウィング付きの収納ボックスでは、収納物品の出し入れを頻繁に行うため、一般に施錠装置を設ける場合が少なく、また、施錠装置を設けたとしてもユーザーがこれを余り利用しないことが多い。
【０００３】
このため、先の阪神大震災の経験からも判るように、大震度の地震等のため収納ボックスが大きく揺らされると、その揺れによって閉鎖されている扉が開いて食器等の収納物品が外に飛び出し、これによって収納物品が破損したり居住者に当たって負傷することがある。
【発明の開示】
【発明が解決しようとする課題】
【０００４】
そこで、本願発明者は、ボックス本体に生じた大きな揺れを検知してウィングを自動的にロックすることにより、収納物品が外へ飛び出すのを防止できるウィング付き収納ボックスのオートロック装置を既に特許出願している（特願平７−１８１７３９号，特願平７−１３４３７６号参照）。
【０００５】
かかるオートロック装置のうちで、外観上の体裁をよくするために収納ボックス内にオートロック装置を組み込んだもの（特願平７−１３４３７６号参照）では、ボックス本体内に取り付けられるロック装置本体と、ウィングの内面側に取り付けられるブラケットとを備え、前記ロック装置本体に、ボックス本体に過大な揺れ生じたときアンロック位置からロック位置に移動してウィングの開放を阻止するように前記ブラケットに係合するデッドボルトを具備している。
【０００６】
そして、この種のオートロック装置では、ロック位置に突出したデッドボルトのロックを解除するために、ボックス本体の天板等に解除孔を設け、この解除孔に挿通した棒材等でデッドボルトの突出端部を押し込むことにより、同ボルトをアンロック位置に戻すようにしている。
しかるに、ボックス本体の天板等に解除孔を設ける手段では、ボックス本体の解除孔からボックス本体内にゴミや油汚れが侵入するという問題があった。
【０００７】
また、デッドボルトのロックを解除するためには、解除孔から棒材等を挿入して、デッドボルトをロック位置からアンロック位置に押し込まなければならず、デッドボルトのロック解除操作が非常に面倒であった。
更に、上記のようなロック解除方法は、天板のある家具には採用できるが、例えば台所等の天井と壁のコーナー部に設ける収納ボックスの場合には天板がないため採用できず、このため、この種の収納ボックスには当該オートロック装置を組み込むことができないという欠点もあった。
【０００８】
本発明は、このような実情に鑑み、ウィングを閉鎖方向に押すだけでデッドボルトのロックをワンタッチで解除できるようにして、ボックス本体に解除孔を設けなくてもロック解除を簡単に行えるようにすることを目的とする。
【課題を解決するための手段】
【０００９】
上記技術的課題を解決するために、本発明は次の技術的手段を講じた。
すなわち、本発明は、デッドボルトがブラケットに係合している状態からさらにウィングを閉鎖方向へ移動させることによりデッドボルトをアンロック位置に押し戻すロック解除機構を設けたことを特徴とする（請求項１）。
【００１０】
かかる本発明によれば、デッドボルトがブラケットに係合している状態（例えば図１の仮想線参照）からさらにウィングを閉鎖方向へ移動させると、ロック解除機構がデッドボルトをアンロック位置に押し戻すので、ウィングを閉鎖方向に押すだけでデッドボルトのロックをワンタッチで解除できるようになる。
このため、例えば、ユーザーが家具等の収納ボックスにぶつかる等により、オートロック装置が地震によらずに誤ってロックされたような場合に、同装置のデッドボルトによるロックを極めて簡便に解除できることになる。
【００１１】
上記の機能を実現するロック解除機構としては、例えば、ウィングの閉鎖方向への移動をデッドボルトのアンロック位置側への移動に変換するカム機構（請求項２、図１〜図２２参照）やリンク機構（図２３参照）が考えられる。
このうち、カム機構を採用する場合には、ブラケットとデッドボルトとの間にウィング開閉方向に移動するスライダを設け、このスライダにデッドボルトを押し戻すためのカム部を形成することによって構成することもできるが（図２１及び図２２参照）、当該カム機構は、ウィングの閉鎖方向に移動するブラケットの同方向中途部がデッドボルトの突出端部に直接当接することにより同デッドボルトを没入側へ押し戻す形状に形成されたカム部を備える構成することが好ましい。
【００１２】
この場合、ブラケットとデッドボルトとの直接当接によってデッドボルトを没入側へ押し戻すので、上記リンク機構やスライダのような中間部材を別に設ける必要がなく、部品点数の増大を防止できる。
より具体的には、上記カム機構は、ブラケットにおけるウィング開閉方向中途部に形成されかつデッドボルト側に近づくに従い同ボルトの突出側に傾斜する第一カム部によって構成できる（請求項４）。
【００１３】
また、上記カム機構は、デッドボルトの突出端部に形成されかつブラケット側に向かうに従い当該デッドボルトの没入側に傾斜する第二カム部によっても構成でき、これら第一及び第二カム部の双方を採用することにしてもよい（請求項５）。
更に、上記第一カム部は、ブラケットに取り付けられかつデッドボルトの出退方向に弾性変形するバネ部材を採用することが好ましい（前記項６）。
【００１４】
この場合、バネ部材よりなる第一カム部がデッドボルトの出退方向に弾性変形するので、ウィングの取付高さが若干変化しても、第一カム部をデッドボルトの突出端部に確実に当接できるようになる。
一方、上記第一カム部を採用する場合には、当該ブラケットがデッドボルトに係合されてウィングの開放を阻止する部材であるから、ブラケットの先端部には、ロック位置に突出したデッドボルトの突出端部に掛止される掛止部を設け、掛止部と第一カム部との間に、デッドボルトの突出を許容する逃げ部を形成しておく必要がある（請求項７）。
【００１５】
また、例えば、ウィングが完全に開放している状態でデッドボルトがロック位置になった場合には、同ボルトをアンロック位置に戻さないとブラケットの先端部が同ボルトに干渉してウィングを閉鎖できなくなる。
そこで、デッドボルトがロック位置にある場合でも、完全開放状態のウィングを簡単に閉鎖できるようにすべく、ブラケットの先端部に、ロック位置に突出したデッドボルトを没入側へ押し戻すための第三カム部を設けることが好ましい（請求項８）。この第三カム部をデッドボルトの第二カム部に当接させば、同ボルトの没入側への押し戻し作用がより確実になる。
【００１６】
一方、デッドボルトはロック装置本体に出退自在に設けられるので、ケーシングに対して若干の遊びをもって挿通されている。このため、デッドボルトの突出端部がブラケットによりウィングの開放方向に引っ張られると同方向にやや転倒し、デッドボルトが適切にロック位置に突出しても、ブラケットがその突出端部から抜け出し、ウィングを適切にロックできない場合がある。
【００１７】
そこで、本発明は、デッドボルトの突出端部に、ブラケットの掛止部に対する引っ掛かりを確実にするための窪み部を設けることを推奨する（請求項９）。
この場合、ブラケットの掛止部がデッドボルトの窪み部に入り込んで同ボルトに掛止されるので、デッドボルトが若干転倒してもブラケットの掛止部を確実に捕まえる。
【００１８】
また、本発明は、ロック装置本体におけるデッドボルトが出退する側の外面にウィングの開閉方向に延びるガイドリブを設け、このガイドリブはアンロック位置にあるデッドボルトの上端縁と同量又はより大きく突出しておくことを推奨する（請求項１０）。
この場合、ガイドリブは、アンロック位置にあるデッドボルトの上端縁と同量又はより大きく突出しているので、アンロック位置にあるデッドボルトにブラケットが掛止されることがなくなる。このため、例えば、長年の蝶番の劣化等によってウィングが徐々に下がって行ったとしても、ブラケットの掛止部がガイドリブに当接してアンロック位置にあるデッドボルトには掛止しないので、アンロック位置にあるデッドボルトによってウィングがロックされるという不測の事態を未然に回避できる。
【００１９】
また、より具体的には、上記ロック装置本体は、更に、ウィングの開閉方向に移動自在でかつ先端部がデッドボルトを掛止するよう同ボルト側に付勢されている保持部材と、ボックス本体の揺れによりウィングの開閉方向に転動して保持部材に衝突し同保持部材の先端部をデッドボルトから解除させる転動部材と、を内部に備えたものを採用できる（請求項１１）。
【００２０】
この場合、上記保持部材は、中央部に転動部材を収納するための逃げ凹部を有する板材により構成し、この逃げ凹部の底部に、反デッドボルト側に向かうに従い当該逃げ凹部がより深くなる方向へ傾斜した傾斜縁を形成しておくことが好ましい。
このようにすれば、転動部材を保持部材の逃げ凹部における反デッドボルト側の縁部により近づけて配置することができる。このため、逃げ凹部内の同縁部と転動部材との間の距離が短くなり、少しの転動で転動部材を保持部材に衝突させることができるので、当該オートロック装置の揺れに対する感度が向上する。
【発明を実施するための最良の形態】
【００２１】
以下、本発明の実施の形態を図面に基づき説明する。
図１〜図５は本発明の第一実施形態を示している。
図２は、本発明に係るオートロック装置を採用した収納ボックス２を示しており、この収納ボックス２は、タンス、食器ケース、化粧ケースその他の家具に使用されるもので、左右の側板３Ａと天板８及び底板９とから方形枠状に組み立てられたボックス本体３と、ボックス本体３の前面開口部４に同開口部４を開閉自在に閉鎖する左右一対の扉（ウィング）５とを備えている。
【００２２】
この左右一対の扉５は、その幅方向外側縁がボックス本体３の側板３Ａに蝶番６を介して枢着され、収納ボックス２の内外方向に回動自在ないわゆる観音開き式とされている。前記蝶番６にはバネが組み込まれており、該バネによって扉５が閉鎖方向に付勢されている。
ボックス本体３の天板８には、地震等の揺れによって左右一対の扉５が開くのを自動的に阻止する前記オートロック装置のロック装置本体１が左右一対の扉５に対応して一対取り付けられている。
【００２３】
図１、図３〜図５に示すように、このロック装置本体１は、天板８の前縁部下面（ボックス本体３の開口縁部の内面）８Ａに取り付けられる合成樹脂製のケーシング１５と、このケーシング１５内に上下出退自在に挿通されたデッドボルト１６と、このデッドボルト１６を常時上方へ付勢する第一コイルバネ１７と、デッドボルト１６を予めケーシング１５内に保持しておく保持部材１８と、地震等に伴う過大な（震度２〜３程度）揺れを検知して保持部材１８をデッドボルト１６から解除するオートロック手段１９と、を備えている。
【００２４】
ケーシング１５は、天板８の下面８Ａにねじ止めされる上面側が開口された固定部２０と、この固定部２０の前端部に同固定部２０と直交して一体に固着された有底筒状のガイド筒部２１と、固定部２０の上面開口部を閉鎖する蓋部材２２とを備えている。
図１に示すように、ケーシング１５は、ガイド筒部２１の上端開口２１Ａが天板８の下面８Ａから適当な間隔をもって離間するよう、蓋部材２２に突設されたスペーサ部２３を介して天板８の下面８Ａにねじ止めされている。
【００２５】
すなわち、ガイド筒部２１の上端開口２１Ａは図１に示す取付状態において天板８の下面８Ａから離間しており、これにより、後述するブラケット４０の挿通空間２４が形成されている。また、このガイド筒部２１の上端開口２１Ａから前記デッドボルト１６が上下動自在に挿通されている。
図３に示すように、蓋部材２２は、固定部２０の上面開口部を閉鎖する方形板状の蓋本体２５と、この蓋本体２５の前端に固定したガイド蓋２６とからなり、蓋本体２５の左右両側に設けた第一ねじ孔２７に挿通した図外の取付ねじによってケーシング１５に固定されている。蓋本体２５の下面の左右両側には、固定部２０に設けた位置決め孔２８に嵌合して同固定部２０に対する位置決めを行う位置決めピン２９が突設されている。
【００２６】
ガイド蓋２６は、平面視ほぼＴ字状に形成されており、固定部２０の前部に形成されている段部３０に嵌合し、このさい、前記保持部材１８の前部を前後方向（図１の左右方向）にガイドする。すなわち、ガイド蓋２６の中央部には下側に開口しかつ前後方向に延びるガイド溝３１が形成され、このガイド溝３１に板状の保持部材１８の前部を挿通することにより、同保持部材１８が前後方向にガイドされている。
【００２７】
また、蓋本体２５及びスペーサ部２３とケーシング１５の固定部２０には、第二ねじ孔３２が形成されており、この第二ねじ孔３２に上向きに挿通した取付ねじを天板８の下面８Ａに向かってねじ込むことにより、ケーシング１５がこれを閉鎖する蓋部材２２とスペーサ部２３を介して天板８に固定されている。
図１及び図３に示すように、デッドボルト１６はガイド筒部２１の内空長とほぼ同じ長さを有し、下端から中央部に延びる有底のバネ収納穴３４を備え、このバネ収納穴３４に収納した第一コイルバネ１７とともにガイド筒部２１に挿通される。
【００２８】
このとき、この第一コイルバネ１７は、その下端部がガイド筒部２１の底壁３５に立設した連結ピン３６に套嵌され、バネ収納穴３４内に圧縮状態で収納される。このため、デッドボルト１６は第一コイルバネ１７によって常時上方へ付勢されている。
デッドボルト１６の側面下部には左右一対のストッパー３７が突設され、このストッパー３７間で上下方向の案内溝３８が形成されている。この案内溝３８に前記ガイド筒部２１の内面に上下方向に延設したガイドレール３９を嵌合させるようにして、当該デッドボルト１６がガイド筒部２１内に挿通されている。また、ストッパー３７は前記ガイド蓋２６の前端部２６Ａに当接することにより、当該デッドボルト１６が上方へ抜け出すのを規制している。
【００２９】
一方、扉５の内面５Ａには、ロック位置Ｂに突出したデッドボルト１６に係止されて扉５の開放を規制するブラケット４０が取付ねじ４１によって固定されている。
このブラケット４０は取付板４２とこれに直交する係止板４３とから側面視Ｌ字状に屈曲形成されている。ブラケット４０の係止板４３の先端部（収納ボックス３側の端部）には、ロック位置Ｂに移動したデッドボルト１６の突出端部に引っ掛かる掛止部４３Ａが設けられている。
【００３０】
ブラケット４０は、取付板４２を取付ねじ４１によって扉５の内面５Ａにねじ止めすることにより、係止板４３が内面５Ａから後方へ突出するように取り付けられていて、このブラケット４０の取付位置は、扉５の閉鎖状態において当該係止板４１がデッドボルト１６の出退位置と同じ平面位置となり、かつ、前記挿通空間２４に入り込む高さ位置とされている。
【００３１】
このため、デッドボルト１６がそのガイド筒部２１内に納まっているときは（図１の実線）、デッドボルト１６はブラケット４０から解除されており、扉５の開放を許容するアンロック位置Ａとなる。他方、デッドボルト１６が空間２４に突出したときは（図１の仮想線）、デッドボルト１６の上部が扉５に固定してあるブラケット４０の逃げ部（係合凹部）４４に入り込み、当該扉５の開放が阻止されるロック位置Ｂとなる。
【００３２】
前記ケーシング１５の固定部２０には、デッドボルト１６の出退方向と交差するよう前後方向（扉５の開閉方向、図１における左右方向と同じ）に延びる収納部４５が形成されており、この収納部４５の左右方向中央部に、前記保持部材１８が前後方向移動自在にガイドされた状態で挿通されている。
すなわち、本実施形態の保持部材１８は、ほぼ短冊板状に形成された金属製のスライド板よりなり、収納部４５の底面４５Ａ中央部に凹設された前後方向のガイド溝４６の間に縦向きに嵌め込むことにより、収納部４５内に前後方向移動可能にガイドされている。また、ガイド溝４６の側壁上端縁に続いて底面４５Ａよりも上方に突出する転動部材１９Ａの案内突条４７が、前記溝４６と平行に設けられている。
【００３３】
この板状の保持部材１８は、デッドボルト１６の側面に形成した掛止凹部４８に嵌合する掛止片（掛止部）４９を前端部に備え、当該保持部材１８をデッドボルト１６側に付勢する第二コイルバネ５０を連結するための連結片５１を後端部に備えている。
また、保持部材１８の中央部には上方に大きく開いた逃げ凹部５２が切り欠き形成され、その後部上端縁には、当該保持部材１８を第二コイルバネ５０に抗して後方へスライドさせるための解除片５３が形成されている。
【００３４】
なお、保持部材１８の掛止片４９の上縁は、デッドボルト１６の下方移動に伴って当該保持部材１８を後方へ押し戻すべく、前下がり傾斜状のテーパー部４９Ａが形成されている。
一方、図１に示すように、保持部材１８の連結片５１を外嵌して取り付けられる第二コイルバネ５０は、収納部４５の後端壁部に当接して当該保持部材１８を常時前方へ付勢している。このコイルバネ５０の付勢力によって保持部材１８の掛止片４９がデッドボルト１６の掛止凹部４８内に強制的に嵌合され、これにより、デッドボルト１６を予めアンロック位置Ａに保持することができる。
【００３５】
本実施形態のオートロック手段１９は、ローラ状の転動部材１９Ａからなり、上記板状の保持部材１８とともに収納部４５内に収納され、軸線をガイド溝４６と直交させるようにして保持部材１８の逃げ凹部５２内に前後方向転動自在に設けられている。
このため、転動部材１９Ａがボックス本体３の揺れに伴って後方へ移動すると、保持部材１８の解除片５３に衝突して同保持部材１８をデッドボルト１６から解除させる。
【００３６】
また、転動部材１９Ａは、その直径が収納部４５の前後方向長さよりも小さく、かつ収納空間高さよりも小さい金属丸棒体からなり、収納部４５内でそのガイド溝４６により案内されている保持部材１８を、地震時の揺れ（例えば、震度２〜３程度の揺れ）によって、第二コイルばね５０の弾発力に抗して後方に押動させるに十分な慣性力（衝突力）を発生させうる重さに設計されている。
【００３７】
なお、転動部材１９Ａの材料としては、地震等による震度２〜３程度の揺れにより感度良く確実に転動し、かつその感度を長期間持続させうる錆の発生しにくい金属として、例えば真鍮を採用するのが好ましいが、鋼材の外周に樹脂を被覆したものであってもよい。また、樹脂内に鉛等の比重の高い金属を埋設したものも採用できる。
【００３８】
また、前記案内突条４７は、転動部材１９Ａの転動摩擦抵抗が可及的に小さくなるように設計されたもので、収納部４５の底面４５Ａの中央部における、ガイド溝４６の開口両側縁に沿って二条設けられている。
しかして、保持部材１８の逃げ凹部５２の底面５２Ａがその案内突条４７の上端面よりも低くなるよう、保持部材１８の中途部がガイド溝４６内に収まる形状に形成されていて、これにより、転動部材１９Ａは逃げ凹部５２内では保持部材１８に接触せずに転動するので、その転がり抵抗が小さくなり地震時の作動感度が良くなる。
【００３９】
この転動部材１９Ａは、ボックス本体３が揺れることによって収納部４５内で前後に往復転動するが、その揺れが地震等により生じた大きなものであるときは、その転動による慣性力が大きくなって保持部材１８の解除片５３に強く衝突する。
この衝突により、第二コイルバネ５０によって前方へ付勢されている保持部材１８が後方（図１の左側）へ変位して保持部材１８の掛止片４９がデッドボルト１６の掛止凹部４８から離脱し、その後、デッドボルト１６が第一コイルバネ１７によって上方に突出されてロック位置Ｂとなる。
【００４０】
図１に示すように、前記ブラケット４０の係止板４３は、その先端部から中途部に至る部分を上方に屈曲してなる逃げ部４４を備えている。この逃げ部４４は、扉５が完全に閉鎖されたとき（図１の実線）、デッドボルト１６よりもやや後方（ボックス本体３内部側）に位置するように形成されており、このさい、逃げ部４４の基端屈曲部が丁度デッドボルト１６の後側面に位置するようになっている。
【００４１】
従って、デッドボルト１６がロック位置Ｂに突出できるのは、図１に仮想線で示す如く、扉５が若干開いて逃げ部４４がデッドボルト１６の直上にきたときである。そして、逃げ部４４に突出したデッドボルト１６は、その突出端部でブラケット４０の掛止部４３Ａを掛止し、ウィング５が開放方向に移動するのを規制する。
【００４２】
また、図１に示すように、オートロック装置は、デッドボルト１６がブラケット４０に係合している状態（図１の仮想線の状態）からさらに扉５を閉鎖方向に移動させることにより、デッドボルト１６をアンロック位置Ａに押し戻すためのロック解除機構６３を備えている。そして、本実施形態では、このロック解除機構６３として、扉５の閉鎖方向に移動するブラケット４０の同方向中途部がデッドボルト１６の突出端部に直接当接することによりそのデッドボルト１６を没入側である下方に押し戻す形状に形成された第一及び第二カム部６１，６２よりなるカム機構６３Ａを採用している。
【００４３】
より具体的には、上記第一カム部６１は、ブラケット４０の係止板４２の中途部に前下がり傾斜状に形成されている。換言すると、この第一カム部６１は、ブラケット４０における扉５開閉方向中途部に、デッドボルト１６側（収納ボックス３側）に近づくに従い同ボルト１６の突出側に傾斜するように形成されている。
【００４４】
他方、第二カム部６２は、デッドボルト１６の突出端面を前下がり傾斜状にカットして形成されている。換言すると、この第二カム部６２は、デッドボルト１６の突出端部に形成されかつブラケット４０側（ボックス３の外側）に向かうに従い当該デッドボルト１６の没入側に傾斜するように形成されている。
このため、ロック位置Ｂに突出したデッドボルト１６が逃げ部４４に係合した状態から扉５を閉鎖位置に移動したとき、カム部６１，６２同士が押圧接当してデッドボルト１６をアンロック位置Ａに押圧するようになっている。
【００４５】
すなわち、デッドボルト１６がブラケット４０に係合している状態（デッドボルト１６の突出端部が逃げ部４４に入り込んでいる状態）からさらに扉５を閉鎖方向に移動すると、ブラケット４０の第一カム部６１がデッドボルト１６の第二カム部６２に当接して、デッドボルト１６がアンロック位置Ａに押し戻されることになる。
【００４６】
また、ブラケット４０の係止板４３の先端部には、前記第一カム部６１とほぼ同じ角度で前下がりに湾曲した第三カム面６４が設けられている。
この第三カム面６４は、ブラケット４０のすべての部分が収納ボックス３の外側に位置するように完全に開放されている扉５を閉鎖方向へ移動させることによっても、ロック位置Ｂにあるデッドボルト１６をアンロック位置Ａ側に押圧できるようにするもので、扉５が大きく完全に開いた状態においてデッドボルト１６がロック位置Ｂに突出したとき、デッドボルト１６とブラケット４０とが干渉して扉５が閉鎖できなくなるのを防止する。
【００４７】
すなわち、扉５が大きく完全に開いた状態（扉５が図１の仮想線よりの更に右側に位置する状態）でデッドボルト１６がアンロック位置Ａに突出したとき、この状態から扉５を閉鎖移動すれば、第二カム面６２と第三カム面６４とが押圧接当してデッドボルト１６をアンロック位置Ａに向けて押圧し、これによりブラケット４０の先端部がデッドボルト１６を乗り越えられるので、デッドボルト１６がロック位置Ｂにあるときでも完全開放状態の扉５を簡単に閉鎖でき、扉５のスムーズな閉鎖を可能にする。
【００４８】
上記第一実施形態に係るオートロック装置によれば、第一コイルバネ１７に抗してデッドボルト１６を押し下げると、保持部材１８の掛止片４９がそのテーパー部４９Ａを通過して掛止凹部４８に嵌合し、デッドボルト１６をアンロック位置Ａに保持する。このため、デッドボルト１６はボックス本体３に大きな揺れが生じていない通常の場合は常にアンロック位置Ａに保持されており、この場合は扉５を自由に開閉することができる。
【００４９】
一方、ボックス本体３に想定した震度よりも大きな揺れが生じると、転動部材１９Ａが保持部材１８の解除片５３に衝突したときの衝撃力によって掛止片４９による保持が解除される。このため、図１に鎖線で示す如く扉５が僅かに開かれてブラケット４０の逃げ部４４がデッドボルト１６の直上にきたときに、同デッドボルト１６が自動的にロック位置Ｂに移動し、デッドボルト１６の突出端部がブラケット４０の掛止部４３Ａに引っ掛かり、扉５の開放が阻止される。
【００５０】
その結果、収納ボックス２内の食器等の収納物が外部に飛び出すのが未然に防止される。
そして、上記のようにデッドボルト１６がブラケット４０に係合している状態から、さらに扉５を閉鎖方向に移動させると、ブラケット４０の第一カム部６１がデッドボルト１６上端の第二カム部６２に当接して同ボルト１６をアンロック位置Ａに押し戻し、その後、保持部材１８がデッドボルト１６をそのアンロック位置Ａに保持し、これによってロックを解除することができる。
【００５１】
このように、本実施形態では、扉５を閉鎖方向に押すだけでデッドボルト１６によるロックをワンタッチで解除することができるので、オートロック装置が地震によらずに軽微な振動でロックされたような場合でも、極めて簡単な操作でそのロックを解除することができる。
また、扉５を押し戻すという極めて簡単な操作でロック解除できるようになったことから、オートロック装置の揺れ検出の感度を上げても、収納ボックス２の使用に不便が生じなくなり、このため、同装置の揺れ検出の感度を極めて鋭敏にすることができる。
【００５２】
なお、上記実施形態において、左右の扉５のうち一方の扉５の縁部に、両扉５間の間隙を閉鎖する帯板状の召し合わせ部材を固着する場合には、他方の扉５を開かないと一方の扉５を開くことができないので、他方の扉５のみにブラケット４０を設け、これを自動的に係止するロック装置本体１をボックス本体３に一つ設ければ足りる。
【００５３】
ただし、召し合わせ部材が一方の扉５に対して揺動自在に枢着されている場合には、後述の第四実施形態のように、左右両扉５にブラケット４０を設け、これらのブラケット４０に対応するボックス本体３のそれぞれの位置にロック装置本体１を設ける必要がある。
また、片方開き扉５の収納ボックス２の場合には、ロック装置本体１をボックス本体３の立側面に取り付けることもできる。
【００５４】
なお、上記第一実施形態において、図１に一点鎖線で示すように、前記保持部材１８の後端下部（連結片５１の下方）を傾斜辺５５とすることにより、後部下端の角隅点Ｏが転動部材１９Ａの衝突点Ｐから前方に距離Ｓだけ離れた位置になるようにしてもよい。
かかる傾斜辺５５を形成すると、転動部材１９Ａが解除片５３に衝突したとき、角隅点Ｏを支点として保持部材１８の下面１８Ａが溝底４６Ａから若干浮き上がり気味に後退することになるので、保持部材１８の掛止片４９がデッドボルト１６の掛止凹部４８から離脱しやすくなり、これによって感度の向上を図ることができる。
【００５５】
図６〜図８は、本発明の第二の実施形態を示している。
この実施形態が第一の実施形態と異なるところは、オートロック手段１９がボール状の転動部材１９Ｂからなる点と、これに伴い、ケーシング１５の収納部４５の底面４５Ａが円筒面とされている点にあり、その他の構成は前記した第一の実施形態と同様である。従って、図面には図１〜図５の符号と同符号を付し、詳細説明は省略する。
【００５６】
なお、この第二の実施形態においても、保持部材１８の下部を二点鎖線で示すように傾斜辺５５とすることができる。
また、本発明は、収納ボックス２だけでなく、本棚、タンス等の家具の他、ウィング（扉）を備えた収納ボックスに広く採用できる。
図９はブラケット４０の変形例を示すもので、ブラケット４０の係止板４３の先端部を前下がり方向に屈曲させて第三カム部６４を形成したものである。すなわち、この第三カム部６４は、係止板４３の先端部を第一カム面６１と略同一の角度で前下がりに屈曲することによって構成されている。なお、その他の点は前記第一実施形態と同様の構成である。
【００５７】
なお、前記した各実施形態では、ブラケット４０に第一カム部６１を設け、デッドボルト１６に第二カム部６２を設け、これらカム部６１，６２により扉５を閉鎖移動したときデッドボルト１６をアンロック位置Ａに押圧するカム機構６３を構成しているが、これに代え、ブラケット４０のみにカム部６１を設け、このカム部６１のみにて、ウィング５の閉鎖方向への移動によりブラケット４０がロック位置Ｂにあるデッドボルト１６をアンロック位置Ａに押圧するようにしてもよい。また、デッドボルト１６のみにカム部６２を設け、このカム部６２のみにて、ウィング５の閉鎖方向への移動によりロック位置Ｂにあるデッドボルト１６がブラケット４０によりアンロック位置Ａに押圧されるようにしてもよい。
【００５８】
すなわち、カム機構６３Ａは、第一及び第二カム部６１，６２の双方だけでなく、これらのいずれか一方だけから構成することもできる。
また、前記した各実施形態では、揺れを検知して保持部材１８をデッドボルト１６から解除するオートロック手段１９を、ローラ状又はボール状の転動部材１９Ａにより構成しているが、これに代え、オートロック手段１９を、保持部材１８に対して摺動する重り部材（例えば、特願平７−１３４３７６号参照）により構成してもよい。
【００５９】
また、前記した各実施形態では、収納ボックス２は、蝶番６に組み込んだバネによって扉５を閉鎖方向に付勢するように構成されているが、これに代え、収納ボックス２は、マグネットにより扉５を閉鎖位置に吸引保持するようにしたものであってもよいし、扉５を閉鎖位置に保持する機構を有しない収納ボックスであってもよい。
【００６０】
図１０〜図１５は、本発明の第三の実施形態を示している。
この実施形態のオートロック装置は、第一の実施形態のものと基本的な構造及び作用はほぼ同様であるが、各所に種々の改良がなされている。従って、以下、主にその改良がされら点について説明し、第一の実施形態の場合と同じ構造及び機能の部材については、同一符号を付してその説明を省略する。
【００６１】
まず、本実施形態では、ブラケット４０側に形成する第一カム部６１として、ブラケット４０に取り付けられかつデッドボルト１６の出退方向（図例では上下方向）に弾性変形するバネ部材７１を採用している。
図１０に示すように、このバネ部材７１は、ブラケット４０の取付板４２の内面に固定された固定板部７２と、この固定板部７２の上端縁から後方へ延設された当接板部７３とを有する板バネよりなる。なお、このバネ部材７１は、板バネだけでなく棒状のバネを採用することもできる。
【００６２】
当接板部７３は、その中途部を下方に屈曲することで側面視ほぼくの字状を呈し、その屈曲部から先端に至る部分を前下がり傾斜状に形成することで、デッドボルト１６の突出端部に対する当接部分７４（第一カム部６１）を備えている。この当接部分７４は、ブラケット４０の逃げ部４４に入り込んだ状態でデッドボルトボルト１６の第二カム部６２とほぼ同じ角度に傾斜しており、かつ、その第二カム部６２よりも長い当接面を有している。
【００６３】
なお、図１０及び図１３に示すように、ブラケット４０の係止板４３の幅方向中央部には、上方に弾性変形した当接板部７３と同係止板４３との干渉を避けるための逃げ長孔７５が設けられている。
また、本実施形態では、デッドボルト１６の突出端部に、ブラケット４０の掛止部４３Ａに対する引っ掛かりを確実にするための窪み部７６を設けている。
【００６４】
この窪み部７６は、図１０及び図１１に示すように、ブラケット１６の突出端部の後側面を上下方向一定範囲に渡って浅く彫り込むことによって形成されていて、このため、ブラケット４０の掛止部４３Ａは、当該窪み部７６に入り込んだ状態でデッドボルト１６の突出端部に掛止されることになる（図１０参照）。
更に、本実施形態では、蓋部材７７の上面に、前後方向（扉５の開閉方向）に延びる左右一対のガイドリブ７８が設けられている。
【００６５】
図１１及び図１２に示すように、このガイドリブ７８は、デッドボルト１６の挿通孔７９を左右から挟む位置に立設されており、蓋本体８０の先端縁からスペーサ部８１の根元に至る範囲に渡って前後方向に延設されている。このガイドリブ７８の突出高さは、アンロック位置Ａに保持されているデッドボルト１６の上端縁と同量か又はそれより大きい突出量に設定されている。
【００６６】
また、図１０及び図１１に示すように、本実施形態では、保持部材８３の逃げ凹部８４の底部に、後方（反デッドボルト１６側）に向かうに従い当該逃げ凹部８４が深くなる方向に傾斜した傾斜縁８５が形成されていて、この傾斜縁８５により、転動部材１９Ｂが常に解除片８６の近傍に位置するようにしている。
このため、転動部材１９Ｂが少し転動するだけで、同部材１９Ｂを保持部材８３の解除片８６に衝突させることができ、オートロック装置の揺れに対する感度を向上することができる。
【００６７】
なお、この第三の実施形態では、ブラケット４０にバネ部材７１を取り付けることでデッドボルト１６に対する上下方向の当接範囲を広げているので、第一の実施形態の場合（図１）に比べて、蓋部材７７のスペーサ部８１の上下長さを大きくしてバネ部材７１も挿通空間８７に挿通できるようにしている。また、本実施形態では、第二の実施形態と同様に、ボール状の転動部材１９Ｂを採用している。
【００６８】
更に、図１１に示すように、ケーシング１５は、その前端部のガイド筒部２１を丸みを有するカバー部材８８で一体に覆うことにより、平面視で四隅が丸みを帯びた四角形に形成されている。
次に、図１４及び図１５を参照しつつ、第三実施形態に係るオートロック装置の作用を説明する。
【００６９】
まず、図１４（ａ）に示すように、デッドボルト１６がアンロック位置Ａに保持されているときは、ブラケット４０の係止板４３及びバネ部材７１はいずれもロック装置本体１側の挿通空間８７を自由に行き来でき、この場合、扉５を自由に開閉することができる。
一方、図１４（ｂ）に示すように、ボックス本体３に想定した震度よりも大きな揺れが生じると、転動部材１９Ａの保持部材１８の解除片５３に衝突したときの衝撃力によって掛止片４９による保持が解除される。このため、図１に鎖線で示す如く扉５が僅かに開かれてブラケット４０の逃げ部４４がデッドボルト１６の直上にきたときに、同デッドボルト１６が自動的にロック位置Ｂに移動し、デッドボルト１６の突出端部がブラケット４０の掛止部４３Ａに引っ掛かり、扉５の開放が阻止される。
【００７０】
このさい、本実施形態では、ブラケット４０の掛止部４３Ａがデッドボルト１６の窪み部７６に入り込んだ状態で両者が係合するので、ケーシング１５のガイド筒部２１に対する遊び等によってデッドボルト１６が扉５の開放方向に若干転倒しても、ブラケット４０の掛止部４３Ａが扉５の開放方向に抜け出すのを未然に防止できる。
【００７１】
そして、図１４（ｂ）に示すデッドボルト１６がブラケット４０に係合している状態から扉５を閉鎖方向に移動させると、ブラケット４０の第一カム部６１（バネ部材７１）がデッドボルト１６上端の第二カム部６２に当接して同ボルト１６をアンロック位置Ａに押し戻し、その後、保持部材８３がデッドボルト１６をそのアンロック位置Ａに保持し、これによってデッドボルト１６によるロックが解除される。
【００７２】
この場合、本実施形態では、第一カム部６１として上下方向に弾性変形自在なバネ部材７１を採用したので、図１４（ｂ），図１５（ａ）（ｂ）に示すように、扉５のガタつきやブラケット４０の取付誤差等により同ブラケット４０の取付高さが若干変化しても、第一カム部６１がデッドボルト１６の突出端部（第二カム部６２）に確実に当接するようになり、このため、カム機構６３Ａよりなるロック解除機構６３をより確実に作動できるようになる。
【００７３】
また、図１４（ｃ）に示すように、扉５が完全に開放している状態でデッドボルト１６が突出している場合でも、そのまま扉５を閉鎖方向に移動すれば、ブラケット４０の先端部に形成した第三カム部６４がデッドボルト１６の第二カム部６２を押し下げるので、デッドボルト１６を指で押し戻すことなく、扉５を簡単に閉鎖できる。
【００７４】
更に、本実施形態では、ガイドリブ７８がアンロック位置Ａにあるデッドボルト１６の上端縁と同量又はより大きく突出しているので、蝶番６の劣化等の原因で扉５が徐々に下がってきても、ブラケット４０の掛止部４３Ａはガイドリブ７８に当接し、アンロック位置Ａにあるデッドボルト１６には掛止されない。このため、アンロック位置Ａにあるデッドボルト１６により扉５がロックされてしまうのを未然に防止することができる。
【００７５】
図１６〜図２０は本発明の第四の実施形態を示しており、この実施形態では、召し合わせ部材９１を設けた扉５も独立に開閉できるよう、同部材９１を一方の扉５に対して揺動自在に枢着されている収納ボックス２に第三実施形態に係るオートロック装置を採用した場合を示している。
図１６において、収納ボックス２は、タンス、食器ケース、化粧ケースその他の家具に使用されるもので、左右の側板３Ａと天板８及び底板９とから方形枠状に組み立てられたボックス本体３と、ボックス本体３の前面開口部４に同開口部４を開閉自在に閉塞する左右一対の扉５Ｌ，５Ｒとを備えている。
【００７６】
この左右一対の扉５Ｌ，５Ｒは、その幅方向外側縁がボックス本体３の側板３Ａに蝶番等を介して枢着され、収納ボックス２の内外方向に回動自在ないわゆる観音開き式とされていて、両扉５Ｌ，５Ｒの外面中央には把手５７が固着されている。
両扉５Ｌ，５Ｒの先端部でかつ内面下部には板片９２が張り付けられていて、この板片９２はオートロック装置に必要な前記ブラケット４０を兼ねている。すなわち、図１６及び図１９に示すように、ブラケット４０の取付板４２は幅方向に長い帯板に形成されており、接当部材１０のマグネット１１に吸着される板片９２としての機能を有する。
【００７７】
天板８及び底板９の開口部４側でかつ幅方向中央には、後述する召し合わせ部材９１を閉姿勢にするための接当部材１０がそれぞれ固定されている。
図１６及び図１９に示すように、この上下の接当部材１０は、いずれも、召し合わせ部材９１の接当面９３を前面中央部に備え、前記板片９２を引きつけて両扉５Ｌ，５Ｒを閉塞状態にするマグネット１１を前面左右両側に有している。また、上下の接当部材１０のうち、上側の接当部材１０Ｕの左右両端部には、前記オートロック装置のケーシング１５が一体に組み込まれている。
【００７８】
すなわち、オートロック装置のケーシング１５は、そのデッドボルト１６を前側（ボックス本体３の開口側）へ向けるようにして、接当部材１０Ｕの左右両端部に形成した取付凹部１１Ａに嵌め込まれている。この取付凹部１１Ａは、ケーシング１５の取付部であると同時に、前記挿通空間２４を確保するスペースとしての意義を有する。
【００７９】
このように、本実施形態では、接当部材１０にオートロック装置１のケーシング１５を一体に組み込んだので、接当部材１０を天板８に固定すると同時にオートロック装置１のケーシング１５も天板８に取り付けられることになる。また、ブラケット４０をその取付板４２がマグネット１１に吸着されるように配置すれば、デッドボルト１６とブラケット４０との位置合わせも同時に行えることになるので、ブラケット４０の取付手間も低減できる。
【００８０】
なお、オートロック装置自体の内部構造は第三実施形態の場合と同様であるので、図面に同一符号を付してその説明を省略する。
更に、本実施形態では、下側の接当部材１０Ｌにはオートロック装置１を設けていないが、底板９に設けた解除孔５４からデッドボルト１６を操作するスペースを確保できる場合には、下側の接当部材１０Ｌにもオートロック装置１を設けることができる。
【００８１】
召し合わせ部材９１は、扉閉鎖時に両扉５Ｌ，５Ｒの先端間の間隙ｅを閉塞するためのもので、左側の扉５Ｌの先端部内面に、上下一対のオートヒンジ９５を介して上下方向のシャフト１００回りでかつ収納ボックス２の内外方向に揺動自在に枢着されている。
この召し合わせ部材９１は、ボックス本体３の内空高さとほぼ同じ長さの長尺帯板材よりなり、幅方向右側の縁部が前記接当部材１０Ｕとスムーズに摺接するよう断面円弧状に形成されている。
【００８２】
上下一対のオートヒンジ９５は、図１７に示すように、左側の扉５Ｌの先端部に固定される固定翼９６と、召し合わせ部材９１を支持する可動翼９７とを備えている。固定翼９６の表面には、相対向する一対の枢支ブラケット９８と、このブラケット９８の一側縁間を連結する規制壁９９とが立設されていて、このブラケット９８間にシャフト１００が上下方向に架設されている。
【００８３】
可動翼９７は、召し合わせ部材９１の内面に固着されてその召し合わせ部材９１を回動自在に支持する支持板１０１と、支持板１０１の幅方向一側縁から延設されたアーム部１０２と、アーム部１０２の先端に設けた上下一対の筒部１０３とを備え、枢支ブラケット９８間に配置した筒部１０３にシャフト１００を挿通させることにより、固定翼９６に対してシャフト１００回りに回動自在に取り付けられている。
【００８４】
なお、可動翼９７は、そのアーム部１０２が回動方向において弾性変形しうるプラスチック等の樹脂材料で構成されている。
可動翼９７のアーム部１０２は、断面へ字状に屈曲されて背面側に前記規制壁９９との当り面１０４を有していて、図１９に示すように、可動翼９７の固定翼９６に対する回動角αは、アーム部１０２の当り面１０４が規制壁９９に当接することによって９０度より小さくなるように設定されている。
【００８５】
そして、この可動翼９７の回動角αが右側の扉５Ｒ側に向くよう召し合わせ部材９１を左側の扉５Ｌに固定することにより、召し合わせ部材９１の左側への揺動範囲を９０度以内に規制するようにしている。
また、シャフト１００の筒部１０３間には、可動翼９７のアーム部１０２を固定翼９６の規制壁９９側に付勢する巻きバネ１０５が套嵌されていて、本実施形態では、この巻きバネ１０５によって、前記召し合わせ部材９１が左側の扉５Ｌへの取付状態において常に内側揺動方向へ付勢されている。従って、召し合わせ部材９１は、図１９に示すように、扉５Ｌが開放されているときはその扉５Ｌの内面から回動角αだけ内側に傾斜した状態で保持されている。
【００８６】
上記構成の召し合わせ装置を有す収納ボックス２においては、先ず、図１９に示すように、左側の扉５Ｌが開放状態でかつ右側の扉５Ｒが閉鎖状態にある場合には、召し合わせ部材９１は、巻きバネ１０５によって内側（図１９の上側）揺動方向に付勢されているため、左側の扉５Ｌの内面から回動角αだけ傾いた状態で保持されている。
【００８７】
このとき、右側の扉５Ｒは閉鎖されているので、右側のブラケット４０の取付板４２（板片９２）がマグネット１１に吸着されているとともに、ブラケット４０の係止板４３は、その平面位置がデッドボルト１６と対応するよう挿通空間８７内に位置している。
この状態から左側の扉５Ｌを閉じていくと召し合わせ部材９１の縁部が上下の接当部材１０の接当面９３に接当する。そこから、さらに左側の扉５Ｌを閉じ方向に押すと、召し合わせ部材９１が接当面９３上を摺動しながら接当面９３から反力を受け、巻きバネ１０５の付勢力に抗して前側（図１９の下側）に揺動し、図２０に示すように、左側の扉５Ｌが完全に閉鎖された時に両扉５Ｌ，５Ｒ先端部間の間隙ｅが当該召し合わせ部材９１によって収納ボックス２の内側から閉塞されることになる。
【００８８】
また、このとき、左側の扉５Ｌも閉鎖されるので、左側のブラケット４０の取付板４２（板片９２）がマグネット１１に吸着されるとともに、左側のブラケット４０の係止板４３は、その平面位置がデッドボルト１６と対応するよう挿通空間８７内に位置することになる。
一方、両扉５Ｌ，５Ｒがいずれも閉鎖状態にある場合には、右側の扉５Ｒを独立して開放できることは勿論のこと、上記と逆の動作手順をふむことにより、右側の扉５Ｒを閉鎖させたまま左側の扉５Ｌのみを開放することができる。
【００８９】
なお、上記したオートロック装置１を組み込んだ接当部材１０と、扉５をロックするブラケット４０を兼ねた板片９２は、召し合わせ部材９１を揺動自在に取り付けた上記召し合わせ装置を設けていない収納ボックス２にも採用することができる。
図２１及び図２２は、本発明の第五の実施形態を示している。
【００９０】
この実施形態では、ブラケット４０に第一カム部６１を設けておらず、蓋部材７９の上面に前後方向（図２１の左右方向）に移動自在な板状のスライダ１１１を設け、このスライダ１１１にデッドボルト１６を押し戻すための第一カム部６１を形成することによって、カム機構６３Ａを構成している。
このスライダ１１１は、断面Ｌ形に屈曲された板材よりなり、デッドボルト１６が挿通されるボルト孔１１２を中央部に備え、上方に突出する押圧板部１１３を後端部に備えている。スライダ１１１のボルト孔１１２側の縁部のうち前側に位置する縁部には、デッドボルト１６の第二カム部６２に当接する第一カム部６１が形成されている。
【００９１】
また、スライダ１１１の後方には、同スライダ１１１を前方に付勢する押圧バネ１１４が設けられ、この押圧バネ１１４の前端はケーシング１５のスペーサ部８１に形成したバネ凹部に嵌め込まれ、後端は押圧板部１１３に当接している。ケーシング１５の蓋部材７７の前端縁部には、スライダ１１１の前端が当接するストッパー突部１１５が形成されている。
【００９２】
ブラケット４０の係止板４３は、デッドボルト１６の突出端部が挿通可能な逃げ孔１１６を備える平板状に形成され、ロック位置Ｂに突出したデッドボルト１６の上端よりもやや低い高さ位置に配置されている。また、係止板４３の先端部には、同先端部を上方に屈曲させることにより前記第三カム部６４が形成され、この先端部は、前記スライダ１１１の押圧板部１１３への当接部としても機能する。
【００９３】
図２２（ａ）に示すように、デッドボルト１６がアンロック位置Ａに保持されている場合には、スライダ１１１はデッドボルト１６とは当接せず、ブラケット４０の先端部により後方に押し戻されながら同ブラケット４０と同期的前後動するだけであるから、扉５を自由に開閉できる。
他方、図２２（ｂ）に示すように、デッドボルト１６がロック位置Ｂに突出してその突出端部がブラケット４０に係合している場合に、扉５をさらに閉鎖方向に押し込むと、ブラケット４０とともに後方へ移動したスライダ１１１の第一カム部６１とデッドボルト１６の第二カム部６２との当接により、同ボルト１６がアンロック位置Ａに押し戻され、同ボルト１６によるロックが解除される。
【００９４】
なお、図２２（ｃ）に示すように、扉５が完全に開放している状態から扉５を閉鎖したときに、第三カム部６４が第二カム部に当接してデッドボルト５が押し戻される点は、前記各実施形態の場合と同様である。
図２３は、本発明の第六の実施形態を示している。
この実施形態では、ウィングの閉鎖方向への移動をデッドボルトのアンロック位置側への移動に変換する連動機構として、上記のようなカム機構６３Ａではなくリンク機構６３Ｂを採用しており、このリンク機構６３Ｂは、ケーシング１５の前壁部に形成したスリット内に収納され揺動リンク１２１よりなる。
【００９５】
この揺動リンク１２１は、前アーム１２２と後アーム１２３とから側面視Ｌ字状に形成されており、その中途部に設けた枢支ピン１２４を介してケーシング１５側に上下揺動自在に枢着されている。前後アーム１２２，１２３のうち、前アーム１２２はやや上向き加減でケーシング１５の前面から突出され、後アーム１２３は、デッドボルト１６の側面に突設した押し下げピン１２５に上から当接されている。
【００９６】
このため、デッドボルト１６がブラケット４０に係合している状態（図２３の状態）から、さらに扉５を閉鎖方向に移動させると、扉５の内面（またはブラケット４０の取付板４２）が揺動リンク１２１の前アーム１２２に当接して同アーム１２２を上方に押し上げる。
すると、揺動リンク１２１の後アーム１２３は枢支ピン１２４回りに下方へ揺動し、デッドボルト１６の押し下げピン１２５を下方へ押圧するので、デッドボルト１６がアンロック位置Ａに戻って保持部材８３によってそのアンロック位置Ａが保持され、デッドボルト１６によるロックが解除されることになる。
【００９７】
従って、この実施形態によっても、ロックされた扉５をさらに閉鎖方向に押し戻すだけで、デッドボルト１６のロックを簡単に解除できる。
なお、上記した各実施形態では、ロック装置本体１をボックス本体３側にかつブラケット４０を扉５側に取り付ける場合を例示したが、これらの取付関係を逆にして、ロック装置本体１を扉５側にかつブラケット４０をボックス本体３側に取り付けるようにしてもよい。
【００９８】
また、上記した各実施形態は例示的なものであって限定的なものではない。すなわち、本発明の範囲は前記した特許請求の範囲によって示され、その請求項の意味に入るすべての変形例は本発明に含まれるものである。
【００９９】
〔発明の効果〕
以上説明したように、本発明によれば、ウィング５の閉鎖動作によって、デッドボルト１６のロックを解除することが可能なり、従ってボックス本体３にロックを解除するための解除孔を設ける必要がなくり、従来のように解除孔からボックス本体３内にゴミや油汚れが侵入する恐れがなくなし、デッドボルト１６のロック解除をワンタッチでなし得て、ロック解除のための面倒な操作がなくなる。また、上記の如くロック解除を簡単になし得るため、揺れ検出の感度をあげても、収納ボックス２の使用に不便を生じることもなくなり、このため揺れ検出の感度を十分に上げて地震際に収納物の飛び出しによる被害をより確実に防ぐことが可能になる。
【図面の簡単な説明】
【０１００】
【図１】本発明の第一実施形態を示す中央縦断面図である。
【図２】同実施形態に係るオートロック装置が装着された収納ボックスの斜視図である。
【図３】同実施形態の分解斜視図である。
【図４】図１のＡ−Ａ線断面図である。
【図５】同実施形態における蓋部材を除去した状態の平面図である。
【図６】第二実施形態における蓋部材を除去した状態の平面図である。
【図７】同第二実施形態の中央縦断面図である。
【図８】図７のＢ−Ｂ線断面図である。
【図９】ブラケットの変形例を示す側面図である。
【図１０】第三実施形態の中央断面図である。
【図１１】同第三実施形態の分解斜視図である。
【図１２】（ａ）は、第三実施形態における蓋部材の平面図であり、（ｂ）は、同じく蓋部材の側面図であり、（ｃ）は、同じく蓋部材の正面図である。図１２（ｄ）は、同じく蓋部材の底面図である。
【図１３】図１３（ａ）は、第三実施形態におけるブラケットの平面図であり、（ｂ）は、同じくブラケットの側面図であり、図１３（ｃ）は、同じくブラケットの底面図である。
【図１４】第三実施形態に係るオ−トロック装置の作用説明図であり、（ａ）は、デッドボルトがアンロック位置にある状態を示す図であり、（ｂ）は、デッドボルトがロック位置にある状態を示す図であり、（ｃ）は、デッドボルトがロック位置にあるが、扉が解放している状態を示す図である。
【図１５】（ａ）は、第三実施形態においてブラケットの取付位置が上方に変化した状態を示す図であり、（ｂ）は、同じくブラケットの取付位置が下方に変化した状態を示す図である。
【図１６】第四実施形態を示す収納ボックスの斜視図である。
【図１７】（ａ）は、召し合わせ部材の取付構造を示す斜視図であり、（ｂ）は、召し合わせ部材をウィングに取付けるためのオートヒンジの斜視図である。
【図１８】同第四実施形態における上側の接当部材の平面図である。
【図１９】同実施形態におけるウィングを閉鎖する直前における上側の接当部材の平面図である。
【図２０】ウィングを閉塞した後における上側の接当部材の平面図である。
【図２１】第五実施形態の中央断面図である。
【図２２】同第五実施形態に係るオ−トロック装置の作用説明図であり、（ａ）は、デッドボルトがアンロック位置にある状態を示す図であり、（ｂ）は、デッドボルトがロック位置にある状態を示す図であり、（ｃ）は、デッドボルトがロック位置にあるが、扉が解放している状態を示す図である。
【図２３】第六実施形態の中央断面図である。
【符号の説明】
【０１０１】
１      ロック装置本体
２      収納ボックス
３      ボックス本体
５      ウィング（扉）
１６      デッドボルト
１８      保持部材
１９Ａ    転動部材
４３Ａ    掛止部
４４      逃げ部
６１      第一カム部
６２      第二カム部
６３      ロック解除機構
６３Ａ    カム機構
６４      第三カム部
７８      ガイドリブ
８３      保持部材
８４      逃げ凹部
８５      傾斜縁
【図１】
2004257242.tif 000003
【図２】
2004257242.tif 000004
【図３】
2004257242.tif 000005
【図４】
2004257242.tif 000006
【図５】
2004257242.tif 000007
【図６】
2004257242.tif 000008
【図７】
2004257242.tif 000009
【図８】
2004257242.tif 000010
【図９】
2004257242.tif 000011
【図１０】
2004257242.tif 000012
【図１１】
2004257242.tif 000013
【図１２】
2004257242.tif 000014
【図１３】
2004257242.tif 000015
【図１４】
2004257242.tif 000016
【図１５】
2004257242.tif 000017
【図１６】
2004257242.tif 000018
【図１７】
2004257242.tif 000019
【図１８】
2004257242.tif 000020
【図１９】
2004257242.tif 000021
【図２０】
2004257242.tif 000022
【図２１】
2004257242.tif 000023
【図２２】
2004257242.tif 000024
【図２３】
2004257242.tif 000025
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
ボックス本体（３）の天板（８）の前縁部下面に取り付けられかつデッドボルト（１６）をロック状態にするために地震の揺れによって前後動するオートロック手段（１９）を内部に有するケーシング（１５）と、前記ボックス本体（３）の前面開口部（４）に枢着されたウィング（５）の内面（５Ａ）に取り付けられるブラケット（４０）と、このブラケット（４０）の先端部に対して係脱自在となるように前記ケーシング（１５）に設けられたデッドボルト（１６）と、を備えており、
地震の揺れによって前記ウィング（５）が僅かに開かれた状態で前記デッドボルト（１６）の突出端部が前記ブラケット（４０）の先端部に引っ掛かるようになっているウィング付き収納ボックスのオートロック装置において、
前記ブラケット（４０）の先端部又は前記デッドボルト（１６）の突出端部若しくはこれらの双方に、前記ウィング（５）の完全解放状態から閉鎖方向に移動する当該ブラケット（４０）の先端部が当接することにより、当該デッドボルト（１６）をアンロック側へ押し戻すためのカム部（６２，６４）が設けられていることを特徴とするウィング付き収納ボックスのオートロック装置。
【請求項２】
ボックス本体（３）の天板（８）の前縁部下面に取り付けられかつデッドボルト（１６）をロック状態にするために地震の揺れによって前後動するオートロック手段（１９）を内部に有するケーシング（１５）と、前記ボックス本体（３）の前面開口部（４）に枢着されたウィング（５）の内面（５Ａ）に取り付けられるブラケット（４０）と、このブラケット（４０）の先端部に対して係脱自在となるように前記ケーシング（１５）に設けられたデッドボルト（１６）と、を備えており、
地震の揺れによって前記ウィング（５）が僅かに開かれた状態で前記デッドボルト（１６）の突出端部が前記ブラケット（４０）の先端部に引っ掛かるようになっているウィング付き収納ボックスにおいて、
前記ブラケット（４０）の先端部又は前記デッドボルト（１６）の突出端部若しくはこれらの双方に、前記ウィング（５）の完全解放状態から閉鎖方向に移動する当該ブラケット（４０）の先端部が当接することにより、当該デッドボルト（１６）をアンロック側へ押し戻すためのカム部（６２，６４）が設けられていることを特徴とするウィング付き収納ボックス。
【手続補正２】
【補正対象書類名】明細書
【補正対象項目名】全文
【補正方法】変更
【補正の内容】
【発明の詳細な説明】
【技術分野】
【０００１】
本発明は、ウィング付き収納ボックスのオートロック装置に関する。
【背景技術】
【０００２】
例えば、食器棚、本棚、タンス、化粧ケース等の家具に代表されるウィング付きの収納ボックスでは、前面が開放されたボックス本体の開口部に扉（ウィング）が観音開き状に枢着されている。
上記家具に代表されるウィング付きの収納ボックスでは、収納物品の出し入れを頻繁に行うため、一般に施錠装置を設ける場合が少なく、また、施錠装置を設けたとしてもユーザーがこれを余り利用しないことが多い。
【０００３】
このため、先の阪神大震災の経験からも判るように、大震度の地震等のため収納ボックスが大きく揺らされると、その揺れによって閉鎖されている扉が開いて食器等の収納物品が外に飛び出し、これによって収納物品が破損したり居住者に当たって負傷することがある。
【発明の開示】
【発明が解決しようとする課題】
【０００４】
そこで、本願発明者は、ボックス本体に生じた大きな揺れを検知してウィングを自動的にロックすることにより、収納物品が外へ飛び出すのを防止できるウィング付き収納ボックスのオートロック装置を既に特許出願している（特願平７−１８１７３９号，特願平７−１３４３７６号参照）。
【０００５】
かかるオートロック装置のうちで、外観上の体裁をよくするために収納ボックス内にオートロック装置を組み込んだもの（特願平７−１３４３７６号参照）では、ボックス本体内に取り付けられるロック装置本体と、ウィングの内面側に取り付けられるブラケットとを備え、前記ロック装置本体に、ボックス本体に過大な揺れ生じたときアンロック位置からロック位置に移動してウィングの開放を阻止するように前記ブラケットに係合するデッドボルトを具備している。
【０００６】
この種のオートロック装置では、例えば、ウィングが完全に開放している状態でデッドボルトがロック位置になった場合には、同ボルトをアンロック位置に戻さないとブラケットの先端部が同ボルトに干渉してウィングを閉鎖できなり、当該オートロック装置が早期に故障する原因となる。
そこで、本発明は、デッドボルトが突出状態にある場合でも、完全開放状態のウィングを簡単に閉鎖できるようにすることを目的とする。
【課題を解決するための手段】
【０００７】
上記技術的課題を解決するために、本発明は次の技術的手段を講じた。
すなわち、本発明は、ブラケットの先端部又はデッドボルトの突出端部若しくはこれらの双方に、ウィングの完全解放状態から閉鎖方向に移動する当該ブラケットの先端部が当接することにより、当該デッドボルトをアンロック側へ押し戻すためのカム部を設けたことを特徴とする。
本発明によれば、上記のカム部を設けたことから、デッドボルトが突出状態にある場合でも、完全開放状態のウィングを簡単に閉鎖することができ、ウィングのスムーズな閉鎖が可能となる。
【発明を実施するための最良の形態】
【０００８】
以下、本発明の実施の形態を図面に基づき説明する。
図１〜図５は本発明の第一実施形態を示している。
図２は、本発明に係るオートロック装置を採用した収納ボックス２を示しており、この収納ボックス２は、タンス、食器ケース、化粧ケースその他の家具に使用されるもので、左右の側板３Ａと天板８及び底板９とから方形枠状に組み立てられたボックス本体３と、ボックス本体３の前面開口部４に同開口部４を開閉自在に閉鎖する左右一対の扉（ウィング）５とを備えている。
【０００９】
この左右一対の扉５は、その幅方向外側縁がボックス本体３の側板３Ａに蝶番６を介して枢着され、収納ボックス２の内外方向に回動自在ないわゆる観音開き式とされている。前記蝶番６にはバネが組み込まれており、該バネによって扉５が閉鎖方向に付勢されている。
ボックス本体３の天板８には、地震等の揺れによって左右一対の扉５が開くのを自動的に阻止する前記オートロック装置のロック装置本体１が左右一対の扉５に対応して一対取り付けられている。
【００１０】
図１、図３〜図５に示すように、このロック装置本体１は、天板８の前縁部下面（ボックス本体３の開口縁部の内面）８Ａに取り付けられる合成樹脂製のケーシング１５と、このケーシング１５内に上下出退自在に挿通されたデッドボルト１６と、このデッドボルト１６を常時上方へ付勢する第一コイルバネ１７と、デッドボルト１６を予めケーシング１５内に保持しておく保持部材１８と、地震等に伴う過大な（震度２〜３程度）揺れを検知して保持部材１８をデッドボルト１６から解除するオートロック手段１９と、を備えている。
【００１１】
ケーシング１５は、天板８の下面８Ａにねじ止めされる上面側が開口された固定部２０と、この固定部２０の前端部に同固定部２０と直交して一体に固着された有底筒状のガイド筒部２１と、固定部２０の上面開口部を閉鎖する蓋部材２２とを備えている。
図１に示すように、ケーシング１５は、ガイド筒部２１の上端開口２１Ａが天板８の下面８Ａから適当な間隔をもって離間するよう、蓋部材２２に突設されたスペーサ部２３を介して天板８の下面８Ａにねじ止めされている。
【００１２】
すなわち、ガイド筒部２１の上端開口２１Ａは図１に示す取付状態において天板８の下面８Ａから離間しており、これにより、後述するブラケット４０の挿通空間２４が形成されている。また、このガイド筒部２１の上端開口２１Ａから前記デッドボルト１６が上下動自在に挿通されている。
図３に示すように、蓋部材２２は、固定部２０の上面開口部を閉鎖する方形板状の蓋本体２５と、この蓋本体２５の前端に固定したガイド蓋２６とからなり、蓋本体２５の左右両側に設けた第一ねじ孔２７に挿通した図外の取付ねじによってケーシング１５に固定されている。蓋本体２５の下面の左右両側には、固定部２０に設けた位置決め孔２８に嵌合して同固定部２０に対する位置決めを行う位置決めピン２９が突設されている。
【００１３】
ガイド蓋２６は、平面視ほぼＴ字状に形成されており、固定部２０の前部に形成されている段部３０に嵌合し、このさい、前記保持部材１８の前部を前後方向（図１の左右方向）にガイドする。すなわち、ガイド蓋２６の中央部には下側に開口しかつ前後方向に延びるガイド溝３１が形成され、このガイド溝３１に板状の保持部材１８の前部を挿通することにより、同保持部材１８が前後方向にガイドされている。
【００１４】
また、蓋本体２５及びスペーサ部２３とケーシング１５の固定部２０には、第二ねじ孔３２が形成されており、この第二ねじ孔３２に上向きに挿通した取付ねじを天板８の下面８Ａに向かってねじ込むことにより、ケーシング１５がこれを閉鎖する蓋部材２２とスペーサ部２３を介して天板８に固定されている。
図１及び図３に示すように、デッドボルト１６はガイド筒部２１の内空長とほぼ同じ長さを有し、下端から中央部に延びる有底のバネ収納穴３４を備え、このバネ収納穴３４に収納した第一コイルバネ１７とともにガイド筒部２１に挿通される。
【００１５】
このとき、この第一コイルバネ１７は、その下端部がガイド筒部２１の底壁３５に立設した連結ピン３６に套嵌され、バネ収納穴３４内に圧縮状態で収納される。このため、デッドボルト１６は第一コイルバネ１７によって常時上方へ付勢されている。
デッドボルト１６の側面下部には左右一対のストッパー３７が突設され、このストッパー３７間で上下方向の案内溝３８が形成されている。この案内溝３８に前記ガイド筒部２１の内面に上下方向に延設したガイドレール３９を嵌合させるようにして、当該デッドボルト１６がガイド筒部２１内に挿通されている。また、ストッパー３７は前記ガイド蓋２６の前端部２６Ａに当接することにより、当該デッドボルト１６が上方へ抜け出すのを規制している。
【００１６】
一方、扉５の内面５Ａには、ロック位置Ｂに突出したデッドボルト１６に係止されて扉５の開放を規制するブラケット４０が取付ねじ４１によって固定されている。
このブラケット４０は取付板４２とこれに直交する係止板４３とから側面視Ｌ字状に屈曲形成されている。ブラケット４０の係止板４３の先端部（収納ボックス３側の端部）には、ロック位置Ｂに移動したデッドボルト１６の突出端部に引っ掛かる掛止部４３Ａが設けられている。
【００１７】
ブラケット４０は、取付板４２を取付ねじ４１によって扉５の内面５Ａにねじ止めすることにより、係止板４３が内面５Ａから後方へ突出するように取り付けられていて、このブラケット４０の取付位置は、扉５の閉鎖状態において当該係止板４１がデッドボルト１６の出退位置と同じ平面位置となり、かつ、前記挿通空間２４に入り込む高さ位置とされている。
【００１８】
このため、デッドボルト１６がそのガイド筒部２１内に納まっているときは（図１の実線）、デッドボルト１６はブラケット４０から解除されており、扉５の開放を許容するアンロック位置Ａとなる。他方、デッドボルト１６が空間２４に突出したときは（図１の仮想線）、デッドボルト１６の上部が扉５に固定してあるブラケット４０の逃げ部（係合凹部）４４に入り込み、当該扉５の開放が阻止されるロック位置Ｂとなる。
【００１９】
前記ケーシング１５の固定部２０には、デッドボルト１６の出退方向と交差するよう前後方向（扉５の開閉方向、図１における左右方向と同じ）に延びる収納部４５が形成されており、この収納部４５の左右方向中央部に、前記保持部材１８が前後方向移動自在にガイドされた状態で挿通されている。
すなわち、本実施形態の保持部材１８は、ほぼ短冊板状に形成された金属製のスライド板よりなり、収納部４５の底面４５Ａ中央部に凹設された前後方向のガイド溝４６の間に縦向きに嵌め込むことにより、収納部４５内に前後方向移動可能にガイドされている。また、ガイド溝４６の側壁上端縁に続いて底面４５Ａよりも上方に突出する転動部材１９Ａの案内突条４７が、前記溝４６と平行に設けられている。
【００２０】
この板状の保持部材１８は、デッドボルト１６の側面に形成した掛止凹部４８に嵌合する掛止片（掛止部）４９を前端部に備え、当該保持部材１８をデッドボルト１６側に付勢する第二コイルバネ５０を連結するための連結片５１を後端部に備えている。
また、保持部材１８の中央部には上方に大きく開いた逃げ凹部５２が切り欠き形成され、その後部上端縁には、当該保持部材１８を第二コイルバネ５０に抗して後方へスライドさせるための解除片５３が形成されている。
【００２１】
なお、保持部材１８の掛止片４９の上縁は、デッドボルト１６の下方移動に伴って当該保持部材１８を後方へ押し戻すべく、前下がり傾斜状のテーパー部４９Ａが形成されている。
一方、図１に示すように、保持部材１８の連結片５１を外嵌して取り付けられる第二コイルバネ５０は、収納部４５の後端壁部に当接して当該保持部材１８を常時前方へ付勢している。このコイルバネ５０の付勢力によって保持部材１８の掛止片４９がデッドボルト１６の掛止凹部４８内に強制的に嵌合され、これにより、デッドボルト１６を予めアンロック位置Ａに保持することができる。
【００２２】
本実施形態のオートロック手段１９は、ローラ状の転動部材１９Ａからなり、上記板状の保持部材１８とともに収納部４５内に収納され、軸線をガイド溝４６と直交させるようにして保持部材１８の逃げ凹部５２内に前後方向転動自在に設けられている。
このため、転動部材１９Ａがボックス本体３の揺れに伴って後方へ移動すると、保持部材１８の解除片５３に衝突して同保持部材１８をデッドボルト１６から解除させる。
【００２３】
また、転動部材１９Ａは、その直径が収納部４５の前後方向長さよりも小さく、かつ収納空間高さよりも小さい金属丸棒体からなり、収納部４５内でそのガイド溝４６により案内されている保持部材１８を、地震時の揺れ（例えば、震度２〜３程度の揺れ）によって、第二コイルばね５０の弾発力に抗して後方に押動させるに十分な慣性力（衝突力）を発生させうる重さに設計されている。
【００２４】
なお、転動部材１９Ａの材料としては、地震等による震度２〜３程度の揺れにより感度良く確実に転動し、かつその感度を長期間持続させうる錆の発生しにくい金属として、例えば真鍮を採用するのが好ましいが、鋼材の外周に樹脂を被覆したものであってもよい。また、樹脂内に鉛等の比重の高い金属を埋設したものも採用できる。
【００２５】
また、前記案内突条４７は、転動部材１９Ａの転動摩擦抵抗が可及的に小さくなるように設計されたもので、収納部４５の底面４５Ａの中央部における、ガイド溝４６の開口両側縁に沿って二条設けられている。
しかして、保持部材１８の逃げ凹部５２の底面５２Ａがその案内突条４７の上端面よりも低くなるよう、保持部材１８の中途部がガイド溝４６内に収まる形状に形成されていて、これにより、転動部材１９Ａは逃げ凹部５２内では保持部材１８に接触せずに転動するので、その転がり抵抗が小さくなり地震時の作動感度が良くなる。
【００２６】
この転動部材１９Ａは、ボックス本体３が揺れることによって収納部４５内で前後に往復転動するが、その揺れが地震等により生じた大きなものであるときは、その転動による慣性力が大きくなって保持部材１８の解除片５３に強く衝突する。
この衝突により、第二コイルバネ５０によって前方へ付勢されている保持部材１８が後方（図１の左側）へ変位して保持部材１８の掛止片４９がデッドボルト１６の掛止凹部４８から離脱し、その後、デッドボルト１６が第一コイルバネ１７によって上方に突出されてロック位置Ｂとなる。
【００２７】
図１に示すように、前記ブラケット４０の係止板４３は、その先端部から中途部に至る部分を上方に屈曲してなる逃げ部４４を備えている。この逃げ部４４は、扉５が完全に閉鎖されたとき（図１の実線）、デッドボルト１６よりもやや後方（ボックス本体３内部側）に位置するように形成されており、このさい、逃げ部４４の基端屈曲部が丁度デッドボルト１６の後側面に位置するようになっている。
【００２８】
従って、デッドボルト１６がロック位置Ｂに突出できるのは、図１に仮想線で示す如く、扉５が若干開いて逃げ部４４がデッドボルト１６の直上にきたときである。そして、逃げ部４４に突出したデッドボルト１６は、その突出端部でブラケット４０の掛止部４３Ａを掛止し、ウィング５が開放方向に移動するのを規制する。
【００２９】
また、図１に示すように、オートロック装置は、デッドボルト１６がブラケット４０に係合している状態（図１の仮想線の状態）からさらに扉５を閉鎖方向に移動させることにより、デッドボルト１６をアンロック位置Ａに押し戻すためのロック解除機構６３を備えている。そして、本実施形態では、このロック解除機構６３として、扉５の閉鎖方向に移動するブラケット４０の同方向中途部がデッドボルト１６の突出端部に直接当接することによりそのデッドボルト１６を没入側である下方に押し戻す形状に形成された第一及び第二カム部６１，６２よりなるカム機構６３Ａを採用している。
【００３０】
より具体的には、上記第一カム部６１は、ブラケット４０の係止板４２の中途部に前下がり傾斜状に形成されている。換言すると、この第一カム部６１は、ブラケット４０における扉５開閉方向中途部に、デッドボルト１６側（収納ボックス３側）に近づくに従い同ボルト１６の突出側に傾斜するように形成されている。
【００３１】
他方、第二カム部６２は、デッドボルト１６の突出端面を前下がり傾斜状にカットして形成されている。換言すると、この第二カム部６２は、デッドボルト１６の突出端部に形成されかつブラケット４０側（ボックス３の外側）に向かうに従い当該デッドボルト１６の没入側に傾斜するように形成されている。
このため、ロック位置Ｂに突出したデッドボルト１６が逃げ部４４に係合した状態から扉５を閉鎖位置に移動したとき、カム部６１，６２同士が押圧接当してデッドボルト１６をアンロック位置Ａに押圧するようになっている。
【００３２】
すなわち、デッドボルト１６がブラケット４０に係合している状態（デッドボルト１６の突出端部が逃げ部４４に入り込んでいる状態）からさらに扉５を閉鎖方向に移動すると、ブラケット４０の第一カム部６１がデッドボルト１６の第二カム部６２に当接して、デッドボルト１６がアンロック位置Ａに押し戻されることになる。
【００３３】
また、ブラケット４０の係止板４３の先端部には、前記第一カム部６１とほぼ同じ角度で前下がりに湾曲した第三カム面６４が設けられている。
この第三カム面６４は、ブラケット４０のすべての部分が収納ボックス３の外側に位置するように完全に開放されている扉５を閉鎖方向へ移動させることによっても、ロック位置Ｂにあるデッドボルト１６をアンロック位置Ａ側に押圧できるようにするもので、扉５が大きく完全に開いた状態においてデッドボルト１６がロック位置Ｂに突出したとき、デッドボルト１６とブラケット４０とが干渉して扉５が閉鎖できなくなるのを防止する。
【００３４】
すなわち、扉５が大きく完全に開いた状態（扉５が図１の仮想線よりの更に右側に位置する状態）でデッドボルト１６がアンロック位置Ａに突出したとき、この状態から扉５を閉鎖移動すれば、第二カム面６２と第三カム面６４とが押圧接当してデッドボルト１６をアンロック位置Ａに向けて押圧し、これによりブラケット４０の先端部がデッドボルト１６を乗り越えられるので、デッドボルト１６がロック位置Ｂにあるときでも完全開放状態の扉５を簡単に閉鎖でき、扉５のスムーズな閉鎖を可能にする。
【００３５】
上記第一実施形態に係るオートロック装置によれば、第一コイルバネ１７に抗してデッドボルト１６を押し下げると、保持部材１８の掛止片４９がそのテーパー部４９Ａを通過して掛止凹部４８に嵌合し、デッドボルト１６をアンロック位置Ａに保持する。このため、デッドボルト１６はボックス本体３に大きな揺れが生じていない通常の場合は常にアンロック位置Ａに保持されており、この場合は扉５を自由に開閉することができる。
【００３６】
一方、ボックス本体３に想定した震度よりも大きな揺れが生じると、転動部材１９Ａが保持部材１８の解除片５３に衝突したときの衝撃力によって掛止片４９による保持が解除される。このため、図１に鎖線で示す如く扉５が僅かに開かれてブラケット４０の逃げ部４４がデッドボルト１６の直上にきたときに、同デッドボルト１６が自動的にロック位置Ｂに移動し、デッドボルト１６の突出端部がブラケット４０の掛止部４３Ａに引っ掛かり、扉５の開放が阻止される。
【００３７】
その結果、収納ボックス２内の食器等の収納物が外部に飛び出すのが未然に防止される。
そして、上記のようにデッドボルト１６がブラケット４０に係合している状態から、さらに扉５を閉鎖方向に移動させると、ブラケット４０の第一カム部６１がデッドボルト１６上端の第二カム部６２に当接して同ボルト１６をアンロック位置Ａに押し戻し、その後、保持部材１８がデッドボルト１６をそのアンロック位置Ａに保持し、これによってロックを解除することができる。
【００３８】
このように、本実施形態では、扉５を閉鎖方向に押すだけでデッドボルト１６によるロックをワンタッチで解除することができるので、オートロック装置が地震によらずに軽微な振動でロックされたような場合でも、極めて簡単な操作でそのロックを解除することができる。
また、扉５を押し戻すという極めて簡単な操作でロック解除できるようになったことから、オートロック装置の揺れ検出の感度を上げても、収納ボックス２の使用に不便が生じなくなり、このため、同装置の揺れ検出の感度を極めて鋭敏にすることができる。
【００３９】
なお、上記実施形態において、左右の扉５のうち一方の扉５の縁部に、両扉５間の間隙を閉鎖する帯板状の召し合わせ部材を固着する場合には、他方の扉５を開かないと一方の扉５を開くことができないので、他方の扉５のみにブラケット４０を設け、これを自動的に係止するロック装置本体１をボックス本体３に一つ設ければ足りる。
【００４０】
ただし、召し合わせ部材が一方の扉５に対して揺動自在に枢着されている場合には、後述の第四実施形態のように、左右両扉５にブラケット４０を設け、これらのブラケット４０に対応するボックス本体３のそれぞれの位置にロック装置本体１を設ける必要がある。
また、片方開き扉５の収納ボックス２の場合には、ロック装置本体１をボックス本体３の立側面に取り付けることもできる。
【００４１】
なお、上記第一実施形態において、図１に一点鎖線で示すように、前記保持部材１８の後端下部（連結片５１の下方）を傾斜辺５５とすることにより、後部下端の角隅点Ｏが転動部材１９Ａの衝突点Ｐから前方に距離Ｓだけ離れた位置になるようにしてもよい。
かかる傾斜辺５５を形成すると、転動部材１９Ａが解除片５３に衝突したとき、角隅点Ｏを支点として保持部材１８の下面１８Ａが溝底４６Ａから若干浮き上がり気味に後退することになるので、保持部材１８の掛止片４９がデッドボルト１６の掛止凹部４８から離脱しやすくなり、これによって感度の向上を図ることができる。
【００４２】
図６〜図８は、本発明の第二の実施形態を示している。
この実施形態が第一の実施形態と異なるところは、オートロック手段１９がボール状の転動部材１９Ｂからなる点と、これに伴い、ケーシング１５の収納部４５の底面４５Ａが円筒面とされている点にあり、その他の構成は前記した第一の実施形態と同様である。従って、図面には図１〜図５の符号と同符号を付し、詳細説明は省略する。
【００４３】
なお、この第二の実施形態においても、保持部材１８の下部を二点鎖線で示すように傾斜辺５５とすることができる。
また、本発明は、収納ボックス２だけでなく、本棚、タンス等の家具の他、ウィング（扉）を備えた収納ボックスに広く採用できる。
図９はブラケット４０の変形例を示すもので、ブラケット４０の係止板４３の先端部を前下がり方向に屈曲させて第三カム部６４を形成したものである。すなわち、この第三カム部６４は、係止板４３の先端部を第一カム面６１と略同一の角度で前下がりに屈曲することによって構成されている。なお、その他の点は前記第一実施形態と同様の構成である。
【００４４】
なお、前記した各実施形態では、ブラケット４０に第一カム部６１を設け、デッドボルト１６に第二カム部６２を設け、これらカム部６１，６２により扉５を閉鎖移動したときデッドボルト１６をアンロック位置Ａに押圧するカム機構６３を構成しているが、これに代え、ブラケット４０のみにカム部６１を設け、このカム部６１のみにて、ウィング５の閉鎖方向への移動によりブラケット４０がロック位置Ｂにあるデッドボルト１６をアンロック位置Ａに押圧するようにしてもよい。また、デッドボルト１６のみにカム部６２を設け、このカム部６２のみにて、ウィング５の閉鎖方向への移動によりロック位置Ｂにあるデッドボルト１６がブラケット４０によりアンロック位置Ａに押圧されるようにしてもよい。
【００４５】
すなわち、カム機構６３Ａは、第一及び第二カム部６１，６２の双方だけでなく、これらのいずれか一方だけから構成することもできる。
また、前記した各実施形態では、揺れを検知して保持部材１８をデッドボルト１６から解除するオートロック手段１９を、ローラ状又はボール状の転動部材１９Ａにより構成しているが、これに代え、オートロック手段１９を、保持部材１８に対して摺動する重り部材（例えば、特願平７−１３４３７６号参照）により構成してもよい。
【００４６】
また、前記した各実施形態では、収納ボックス２は、蝶番６に組み込んだバネによって扉５を閉鎖方向に付勢するように構成されているが、これに代え、収納ボックス２は、マグネットにより扉５を閉鎖位置に吸引保持するようにしたものであってもよいし、扉５を閉鎖位置に保持する機構を有しない収納ボックスであってもよい。
【００４７】
図１０〜図１５は、本発明の第三の実施形態を示している。
この実施形態のオートロック装置は、第一の実施形態のものと基本的な構造及び作用はほぼ同様であるが、各所に種々の改良がなされている。従って、以下、主にその改良がされた点について説明し、第一の実施形態の場合と同じ構造及び機能の部材については、同一符号を付してその説明を省略する。
【００４８】
まず、本実施形態では、ブラケット４０側に形成する第一カム部６１として、ブラケット４０に取り付けられかつデッドボルト１６の出退方向（図例では上下方向）に弾性変形するバネ部材７１を採用している。
図１０に示すように、このバネ部材７１は、ブラケット４０の取付板４２の内面に固定された固定板部７２と、この固定板部７２の上端縁から後方へ延設された当接板部７３とを有する板バネよりなる。なお、このバネ部材７１は、板バネだけでなく棒状のバネを採用することもできる。
【００４９】
当接板部７３は、その中途部を下方に屈曲することで側面視ほぼくの字状を呈し、その屈曲部から先端に至る部分を前下がり傾斜状に形成することで、デッドボルト１６の突出端部に対する当接部分７４（第一カム部６１）を備えている。この当接部分７４は、ブラケット４０の逃げ部４４に入り込んだ状態でデッドボルトボルト１６の第二カム部６２とほぼ同じ角度に傾斜しており、かつ、その第二カム部６２よりも長い当接面を有している。
【００５０】
なお、図１０及び図１３に示すように、ブラケット４０の係止板４３の幅方向中央部には、上方に弾性変形した当接板部７３と同係止板４３との干渉を避けるための逃げ長孔７５が設けられている。
また、本実施形態では、デッドボルト１６の突出端部に、ブラケット４０の掛止部４３Ａに対する引っ掛かりを確実にするための窪み部７６を設けている。
【００５１】
この窪み部７６は、図１０及び図１１に示すように、ブラケット１６の突出端部の後側面を上下方向一定範囲に渡って浅く彫り込むことによって形成されていて、このため、ブラケット４０の掛止部４３Ａは、当該窪み部７６に入り込んだ状態でデッドボルト１６の突出端部に掛止されることになる（図１０参照）。
更に、本実施形態では、蓋部材７７の上面に、前後方向（扉５の開閉方向）に延びる左右一対のガイドリブ７８が設けられている。
【００５２】
図１１及び図１２に示すように、このガイドリブ７８は、デッドボルト１６の挿通孔７９を左右から挟む位置に立設されており、蓋本体８０の先端縁からスペーサ部８１の根元に至る範囲に渡って前後方向に延設されている。このガイドリブ７８の突出高さは、アンロック位置Ａに保持されているデッドボルト１６の上端縁と同量か又はそれより大きい突出量に設定されている。
【００５３】
また、図１０及び図１１に示すように、本実施形態では、保持部材８３の逃げ凹部８４の底部に、後方（反デッドボルト１６側）に向かうに従い当該逃げ凹部８４が深くなる方向に傾斜した傾斜縁８５が形成されていて、この傾斜縁８５により、転動部材１９Ｂが常に解除片８６の近傍に位置するようにしている。
このため、転動部材１９Ｂが少し転動するだけで、同部材１９Ｂを保持部材８３の解除片８６に衝突させることができ、オートロック装置の揺れに対する感度を向上することができる。
【００５４】
なお、この第三の実施形態では、ブラケット４０にバネ部材７１を取り付けることでデッドボルト１６に対する上下方向の当接範囲を広げているので、第一の実施形態の場合（図１）に比べて、蓋部材７７のスペーサ部８１の上下長さを大きくしてバネ部材７１も挿通空間８７に挿通できるようにしている。また、本実施形態では、第二の実施形態と同様に、ボール状の転動部材１９Ｂを採用している。
【００５５】
更に、図１１に示すように、ケーシング１５は、その前端部のガイド筒部２１を丸みを有するカバー部材８８で一体に覆うことにより、平面視で四隅が丸みを帯びた四角形に形成されている。
次に、図１４及び図１５を参照しつつ、第三実施形態に係るオートロック装置の作用を説明する。
【００５６】
まず、図１４（ａ）に示すように、デッドボルト１６がアンロック位置Ａに保持されているときは、ブラケット４０の係止板４３及びバネ部材７１はいずれもロック装置本体１側の挿通空間８７を自由に行き来でき、この場合、扉５を自由に開閉することができる。
一方、図１４（ｂ）に示すように、ボックス本体３に想定した震度よりも大きな揺れが生じると、転動部材１９Ａの保持部材１８の解除片５３に衝突したときの衝撃力によって掛止片４９による保持が解除される。このため、図１に鎖線で示す如く扉５が僅かに開かれてブラケット４０の逃げ部４４がデッドボルト１６の直上にきたときに、同デッドボルト１６が自動的にロック位置Ｂに移動し、デッドボルト１６の突出端部がブラケット４０の掛止部４３Ａに引っ掛かり、扉５の開放が阻止される。
【００５７】
このさい、本実施形態では、ブラケット４０の掛止部４３Ａがデッドボルト１６の窪み部７６に入り込んだ状態で両者が係合するので、ケーシング１５のガイド筒部２１に対する遊び等によってデッドボルト１６が扉５の開放方向に若干転倒しても、ブラケット４０の掛止部４３Ａが扉５の開放方向に抜け出すのを未然に防止できる。
【００５８】
そして、図１４（ｂ）に示すデッドボルト１６がブラケット４０に係合している状態から扉５を閉鎖方向に移動させると、ブラケット４０の第一カム部６１（バネ部材７１）がデッドボルト１６上端の第二カム部６２に当接して同ボルト１６をアンロック位置Ａに押し戻し、その後、保持部材８３がデッドボルト１６をそのアンロック位置Ａに保持し、これによってデッドボルト１６によるロックが解除される。
【００５９】
この場合、本実施形態では、第一カム部６１として上下方向に弾性変形自在なバネ部材７１を採用したので、図１４（ｂ），図１５（ａ）（ｂ）に示すように、扉５のガタつきやブラケット４０の取付誤差等により同ブラケット４０の取付高さが若干変化しても、第一カム部６１がデッドボルト１６の突出端部（第二カム部６２）に確実に当接するようになり、このため、カム機構６３Ａよりなるロック解除機構６３をより確実に作動できるようになる。
【００６０】
また、図１４（ｃ）に示すように、扉５が完全に開放している状態でデッドボルト１６が突出している場合でも、そのまま扉５を閉鎖方向に移動すれば、ブラケット４０の先端部に形成した第三カム部６４がデッドボルト１６の第二カム部６２を押し下げるので、デッドボルト１６を指で押し戻すことなく、扉５を簡単に閉鎖できる。
【００６１】
更に、本実施形態では、ガイドリブ７８がアンロック位置Ａにあるデッドボルト１６の上端縁と同量又はより大きく突出しているので、蝶番６の劣化等の原因で扉５が徐々に下がってきても、ブラケット４０の掛止部４３Ａはガイドリブ７８に当接し、アンロック位置Ａにあるデッドボルト１６には掛止されない。このため、アンロック位置Ａにあるデッドボルト１６により扉５がロックされてしまうのを未然に防止することができる。
【００６２】
図１６〜図２０は本発明の第四の実施形態を示しており、この実施形態では、召し合わせ部材９１を設けた扉５も独立に開閉できるよう、同部材９１を一方の扉５に対して揺動自在に枢着されている収納ボックス２に第三実施形態に係るオートロック装置を採用した場合を示している。
図１６において、収納ボックス２は、タンス、食器ケース、化粧ケースその他の家具に使用されるもので、左右の側板３Ａと天板８及び底板９とから方形枠状に組み立てられたボックス本体３と、ボックス本体３の前面開口部４に同開口部４を開閉自在に閉塞する左右一対の扉５Ｌ，５Ｒとを備えている。
【００６３】
この左右一対の扉５Ｌ，５Ｒは、その幅方向外側縁がボックス本体３の側板３Ａに蝶番等を介して枢着され、収納ボックス２の内外方向に回動自在ないわゆる観音開き式とされていて、両扉５Ｌ，５Ｒの外面中央には把手５７が固着されている。
両扉５Ｌ，５Ｒの先端部でかつ内面下部には板片９２が張り付けられていて、この板片９２はオートロック装置に必要な前記ブラケット４０を兼ねている。すなわち、図１６及び図１９に示すように、ブラケット４０の取付板４２は幅方向に長い帯板に形成されており、接当部材１０のマグネット１１に吸着される板片９２としての機能を有する。
【００６４】
天板８及び底板９の開口部４側でかつ幅方向中央には、後述する召し合わせ部材９１を閉姿勢にするための接当部材１０がそれぞれ固定されている。
図１６及び図１９に示すように、この上下の接当部材１０は、いずれも、召し合わせ部材９１の接当面９３を前面中央部に備え、前記板片９２を引きつけて両扉５Ｌ，５Ｒを閉塞状態にするマグネット１１を前面左右両側に有している。また、上下の接当部材１０のうち、上側の接当部材１０Ｕの左右両端部には、前記オートロック装置のケーシング１５が一体に組み込まれている。
【００６５】
すなわち、オートロック装置のケーシング１５は、そのデッドボルト１６を前側（ボックス本体３の開口側）へ向けるようにして、接当部材１０Ｕの左右両端部に形成した取付凹部１１Ａに嵌め込まれている。この取付凹部１１Ａは、ケーシング１５の取付部であると同時に、前記挿通空間２４を確保するスペースとしての意義を有する。
【００６６】
このように、本実施形態では、接当部材１０にオートロック装置１のケーシング１５を一体に組み込んだので、接当部材１０を天板８に固定すると同時にオートロック装置１のケーシング１５も天板８に取り付けられることになる。また、ブラケット４０をその取付板４２がマグネット１１に吸着されるように配置すれば、デッドボルト１６とブラケット４０との位置合わせも同時に行えることになるので、ブラケット４０の取付手間も低減できる。
【００６７】
なお、オートロック装置自体の内部構造は第三実施形態の場合と同様であるので、図面に同一符号を付してその説明を省略する。
更に、本実施形態では、下側の接当部材１０Ｌにはオートロック装置１を設けていないが、底板９に設けた解除孔５４からデッドボルト１６を操作するスペースを確保できる場合には、下側の接当部材１０Ｌにもオートロック装置１を設けることができる。
【００６８】
召し合わせ部材９１は、扉閉鎖時に両扉５Ｌ，５Ｒの先端間の間隙ｅを閉塞するためのもので、左側の扉５Ｌの先端部内面に、上下一対のオートヒンジ９５を介して上下方向のシャフト１００回りでかつ収納ボックス２の内外方向に揺動自在に枢着されている。
この召し合わせ部材９１は、ボックス本体３の内空高さとほぼ同じ長さの長尺帯板材よりなり、幅方向右側の縁部が前記接当部材１０Ｕとスムーズに摺接するよう断面円弧状に形成されている。
【００６９】
上下一対のオートヒンジ９５は、図１７に示すように、左側の扉５Ｌの先端部に固定される固定翼９６と、召し合わせ部材９１を支持する可動翼９７とを備えている。固定翼９６の表面には、相対向する一対の枢支ブラケット９８と、このブラケット９８の一側縁間を連結する規制壁９９とが立設されていて、このブラケット９８間にシャフト１００が上下方向に架設されている。
【００７０】
可動翼９７は、召し合わせ部材９１の内面に固着されてその召し合わせ部材９１を回動自在に支持する支持板１０１と、支持板１０１の幅方向一側縁から延設されたアーム部１０２と、アーム部１０２の先端に設けた上下一対の筒部１０３とを備え、枢支ブラケット９８間に配置した筒部１０３にシャフト１００を挿通させることにより、固定翼９６に対してシャフト１００回りに回動自在に取り付けられている。
【００７１】
なお、可動翼９７は、そのアーム部１０２が回動方向において弾性変形しうるプラスチック等の樹脂材料で構成されている。
可動翼９７のアーム部１０２は、断面へ字状に屈曲されて背面側に前記規制壁９９との当り面１０４を有していて、図１９に示すように、可動翼９７の固定翼９６に対する回動角αは、アーム部１０２の当り面１０４が規制壁９９に当接することによって９０度より小さくなるように設定されている。
【００７２】
そして、この可動翼９７の回動角αが右側の扉５Ｒ側に向くよう召し合わせ部材９１を左側の扉５Ｌに固定することにより、召し合わせ部材９１の左側への揺動範囲を９０度以内に規制するようにしている。
また、シャフト１００の筒部１０３間には、可動翼９７のアーム部１０２を固定翼９６の規制壁９９側に付勢する巻きバネ１０５が套嵌されていて、本実施形態では、この巻きバネ１０５によって、前記召し合わせ部材９１が左側の扉５Ｌへの取付状態において常に内側揺動方向へ付勢されている。従って、召し合わせ部材９１は、図１９に示すように、扉５Ｌが開放されているときはその扉５Ｌの内面から回動角αだけ内側に傾斜した状態で保持されている。
【００７３】
上記構成の召し合わせ装置を有す収納ボックス２においては、先ず、図１９に示すように、左側の扉５Ｌが開放状態でかつ右側の扉５Ｒが閉鎖状態にある場合には、召し合わせ部材９１は、巻きバネ１０５によって内側（図１９の上側）揺動方向に付勢されているため、左側の扉５Ｌの内面から回動角αだけ傾いた状態で保持されている。
【００７４】
このとき、右側の扉５Ｒは閉鎖されているので、右側のブラケット４０の取付板４２（板片９２）がマグネット１１に吸着されているとともに、ブラケット４０の係止板４３は、その平面位置がデッドボルト１６と対応するよう挿通空間８７内に位置している。
この状態から左側の扉５Ｌを閉じていくと召し合わせ部材９１の縁部が上下の接当部材１０の接当面９３に接当する。そこから、さらに左側の扉５Ｌを閉じ方向に押すと、召し合わせ部材９１が接当面９３上を摺動しながら接当面９３から反力を受け、巻きバネ１０５の付勢力に抗して前側（図１９の下側）に揺動し、図２０に示すように、左側の扉５Ｌが完全に閉鎖された時に両扉５Ｌ，５Ｒ先端部間の間隙ｅが当該召し合わせ部材９１によって収納ボックス２の内側から閉塞されることになる。
【００７５】
また、このとき、左側の扉５Ｌも閉鎖されるので、左側のブラケット４０の取付板４２（板片９２）がマグネット１１に吸着されるとともに、左側のブラケット４０の係止板４３は、その平面位置がデッドボルト１６と対応するよう挿通空間８７内に位置することになる。
一方、両扉５Ｌ，５Ｒがいずれも閉鎖状態にある場合には、右側の扉５Ｒを独立して開放できることは勿論のこと、上記と逆の動作手順をふむことにより、右側の扉５Ｒを閉鎖させたまま左側の扉５Ｌのみを開放することができる。
【００７６】
なお、上記したオートロック装置１を組み込んだ接当部材１０と、扉５をロックするブラケット４０を兼ねた板片９２は、召し合わせ部材９１を揺動自在に取り付けた上記召し合わせ装置を設けていない収納ボックス２にも採用することができる。
図２１及び図２２は、本発明の第五の実施形態を示している。
【００７７】
この実施形態では、ブラケット４０に第一カム部６１を設けておらず、蓋部材７９の上面に前後方向（図２１の左右方向）に移動自在な板状のスライダ１１１を設け、このスライダ１１１にデッドボルト１６を押し戻すための第一カム部６１を形成することによって、カム機構６３Ａを構成している。
このスライダ１１１は、断面Ｌ形に屈曲された板材よりなり、デッドボルト１６が挿通されるボルト孔１１２を中央部に備え、上方に突出する押圧板部１１３を後端部に備えている。スライダ１１１のボルト孔１１２側の縁部のうち前側に位置する縁部には、デッドボルト１６の第二カム部６２に当接する第一カム部６１が形成されている。
【００７８】
また、スライダ１１１の後方には、同スライダ１１１を前方に付勢する押圧バネ１１４が設けられ、この押圧バネ１１４の前端はケーシング１５のスペーサ部８１に形成したバネ凹部に嵌め込まれ、後端は押圧板部１１３に当接している。ケーシング１５の蓋部材７７の前端縁部には、スライダ１１１の前端が当接するストッパー突部１１５が形成されている。
【００７９】
ブラケット４０の係止板４３は、デッドボルト１６の突出端部が挿通可能な逃げ孔１１６を備える平板状に形成され、ロック位置Ｂに突出したデッドボルト１６の上端よりもやや低い高さ位置に配置されている。また、係止板４３の先端部には、同先端部を上方に屈曲させることにより前記第三カム部６４が形成され、この先端部は、前記スライダ１１１の押圧板部１１３への当接部としても機能する。
【００８０】
図２２（ａ）に示すように、デッドボルト１６がアンロック位置Ａに保持されている場合には、スライダ１１１はデッドボルト１６とは当接せず、ブラケット４０の先端部により後方に押し戻されながら同ブラケット４０と同期的前後動するだけであるから、扉５を自由に開閉できる。
他方、図２２（ｂ）に示すように、デッドボルト１６がロック位置Ｂに突出してその突出端部がブラケット４０に係合している場合に、扉５をさらに閉鎖方向に押し込むと、ブラケット４０とともに後方へ移動したスライダ１１１の第一カム部６１とデッドボルト１６の第二カム部６２との当接により、同ボルト１６がアンロック位置Ａに押し戻され、同ボルト１６によるロックが解除される。
【００８１】
なお、図２２（ｃ）に示すように、扉５が完全に開放している状態から扉５を閉鎖したときに、第三カム部６４が第二カム部に当接してデッドボルト５が押し戻される点は、前記各実施形態の場合と同様である。
図２３は、本発明の第六の実施形態を示している。
この実施形態では、ウィングの閉鎖方向への移動をデッドボルトのアンロック位置側への移動に変換する連動機構として、上記のようなカム機構６３Ａではなくリンク機構６３Ｂを採用しており、このリンク機構６３Ｂは、ケーシング１５の前壁部に形成したスリット内に収納され揺動リンク１２１よりなる。
【００８２】
この揺動リンク１２１は、前アーム１２２と後アーム１２３とから側面視Ｌ字状に形成されており、その中途部に設けた枢支ピン１２４を介してケーシング１５側に上下揺動自在に枢着されている。前後アーム１２２，１２３のうち、前アーム１２２はやや上向き加減でケーシング１５の前面から突出され、後アーム１２３は、デッドボルト１６の側面に突設した押し下げピン１２５に上から当接されている。
【００８３】
このため、デッドボルト１６がブラケット４０に係合している状態（図２３の状態）から、さらに扉５を閉鎖方向に移動させると、扉５の内面（またはブラケット４０の取付板４２）が揺動リンク１２１の前アーム１２２に当接して同アーム１２２を上方に押し上げる。
すると、揺動リンク１２１の後アーム１２３は枢支ピン１２４回りに下方へ揺動し、デッドボルト１６の押し下げピン１２５を下方へ押圧するので、デッドボルト１６がアンロック位置Ａに戻って保持部材８３によってそのアンロック位置Ａが保持され、デッドボルト１６によるロックが解除されることになる。
【００８４】
従って、この実施形態によっても、ロックされた扉５をさらに閉鎖方向に押し戻すだけで、デッドボルト１６のロックを簡単に解除できる。
なお、上記した各実施形態では、ロック装置本体１をボックス本体３側にかつブラケット４０を扉５側に取り付ける場合を例示したが、これらの取付関係を逆にして、ロック装置本体１を扉５側にかつブラケット４０をボックス本体３側に取り付けるようにしてもよい。
【００８５】
また、上記した各実施形態は例示的なものであって限定的なものではない。すなわち、本発明の範囲は前記した特許請求の範囲によって示され、その請求項の意味に入るすべての変形例は本発明に含まれるものである。
【００８６】
〔発明の効果〕
以上説明したように、本発明によれば、ウィングの完全解放状態から閉鎖方向に移動するブラケットの先端部が当接することにより、デッドボルトをアンロック側へ押し戻すためのカム部を、ブラケットの先端部又はデッドボルトの突出端部若しくはこれらの双方に設けるようにしたので、デッドボルトが突出状態にある場合でも、完全開放状態のウィングを簡単に閉鎖することができ、ウィングのスムーズな閉鎖が可能となる。
【図面の簡単な説明】
【００８７】
【図１】本発明の第一実施形態を示す中央縦断面図である。
【図２】同実施形態に係るオートロック装置が装着された収納ボックスの斜視図である。
【図３】同実施形態の分解斜視図である。
【図４】図１のＡ−Ａ線断面図である。
【図５】同実施形態における蓋部材を除去した状態の平面図である。
【図６】第二実施形態における蓋部材を除去した状態の平面図である。
【図７】同第二実施形態の中央縦断面図である。
【図８】図７のＢ−Ｂ線断面図である。
【図９】ブラケットの変形例を示す側面図である。
【図１０】第三実施形態の中央断面図である。
【図１１】同第三実施形態の分解斜視図である。
【図１２】（ａ）は、第三実施形態における蓋部材の平面図であり、（ｂ）は、同じく蓋部材の側面図であり、（ｃ）は、同じく蓋部材の正面図である。図１２（ｄ）は、同じく蓋部材の底面図である。
【図１３】図１３（ａ）は、第三実施形態におけるブラケットの平面図であり、（ｂ）は、同じくブラケットの側面図であり、図１３（ｃ）は、同じくブラケットの底面図である。
【図１４】第三実施形態に係るオ−トロック装置の作用説明図であり、（ａ）は、デッドボルトがアンロック位置にある状態を示す図であり、（ｂ）は、デッドボルトがロック位置にある状態を示す図であり、（ｃ）は、デッドボルトがロック位置にあるが、扉が解放している状態を示す図である。
【図１５】（ａ）は、第三実施形態においてブラケットの取付位置が上方に変化した状態を示す図であり、（ｂ）は、同じくブラケットの取付位置が下方に変化した状態を示す図である。
【図１６】第四実施形態を示す収納ボックスの斜視図である。
【図１７】（ａ）は、召し合わせ部材の取付構造を示す斜視図であり、（ｂ）は、召し合わせ部材をウィングに取付けるためのオートヒンジの斜視図である。
【図１８】同第四実施形態における上側の接当部材の平面図である。
【図１９】同実施形態におけるウィングを閉鎖する直前における上側の接当部材の平面図である。
【図２０】ウィングを閉塞した後における上側の接当部材の平面図である。
【図２１】第五実施形態の中央断面図である。
【図２２】同第五実施形態に係るオ−トロック装置の作用説明図であり、（ａ）は、デッドボルトがアンロック位置にある状態を示す図であり、（ｂ）は、デッドボルトがロック位置にある状態を示す図であり、（ｃ）は、デッドボルトがロック位置にあるが、扉が解放している状態を示す図である。
【図２３】第六実施形態の中央断面図である。
【符号の説明】
【００８８】
１      ロック装置本体
２      収納ボックス
３      ボックス本体
５      ウィング（扉）
１６      デッドボルト
１８      保持部材
１９Ａ    転動部材
４３Ａ    掛止部
４４      逃げ部
６１      第一カム部
６２      第二カム部
６３      ロック解除機構
６３Ａ    カム機構
６４      第三カム部
７８      ガイドリブ
８３      保持部材
８４      逃げ凹部
８５      傾斜縁